(57)【要約】  本発明は、コア・シェル型マイクロカプセルを製造するための新規の方法に関する。マイクロカプセルもまた本発明の対象である。前記マイクロカプセルを含有する消費者製品、特に付香された消費者製品またはフレーバー付けされた消費者製品もまた本発明の一部である。【特許請求の範囲】
【請求項１】
コア・シェル型マイクロカプセルのスラリーを製造する方法であって、前記方法は、以下のステップ：
（ｉ）少なくとも１つのタンパク質を含有する水溶液に、塩、および任意で架橋剤を添加混合して、水相を形成するステップ、
（ｉｉ）前記水相中に疎水性材料、好ましくは香料オイルまたはフレーバーオイルを含有する油相を分散させて、水中油型エマルションを形成するステップ、
（ｉｉｉ）架橋剤がステップ（ｉ）で添加されていなかった場合には、前記水中油型エマルションに架橋剤を添加するステップ、
（ｉｖ）前記タンパク質がスラリーの形でコア・シェル型マイクロカプセルを形成する架橋を誘発するために十分な条件を適用するステップ
を含む、コア・シェル型マイクロカプセルのスラリーを製造する方法。
【請求項２】
以下のステップ
（ｉ）少なくとも１つのタンパク質を含有する水溶液に、塩を添加混合して、水相を形成するステップ、
（ｉｉ）前記水相中に疎水性材料、好ましくは香料オイルまたはフレーバーオイルを含有する油相を分散させて、水中油型エマルションを形成するステップ、
（ｉｉｉ）前記水中油型エマルションに架橋剤を添加するステップ、
（ｉｖ）前記タンパク質がバイオポリマーシェルを形成する架橋を誘発するために十分な条件を適用するステップ
を含む、請求項１に記載の方法。
【請求項３】
前記タンパク質を、マイクロカプセルスラリーの全質量を基準に、０．５〜１０％に含まれる量で使用する、請求項１または２に記載の方法。
【請求項４】
前記タンパク質を、ミルクプロテイン、カゼイン酸ナトリウム、カゼイン酸カルシウム、カゼイン、ホエイプロテイン、タンパク加水分解物、ゼラチン、グルテン、ピープロテイン、ソイプロテイン、シルクプロテインおよびこれらの混合物からなる群から選択する、請求項１から３までのいずれか１項に記載の方法。
【請求項５】
前記タンパク質が、カゼイン酸ナトリウムとホエイプロテインとの混合物である、請求項４に記載の方法。
【請求項６】
ステップ（ｉ）の水溶液に添加される塩を、ＣａＣｌ２、ＮａＣｌ、ＫＣｌ、ＬｉＣｌ、Ｃａ（ＮＯ３）２、ＭｇＣｌ２およびこれらの混合物からなる群から選択する、請求項１から５までのいずれか１項に記載の方法。
【請求項７】
前記塩と前記タンパク質との質量比が、０．０１：１〜１：１に含まれる、請求項１から６までのいずれか１項に記載の方法。
【請求項８】
前記架橋剤が、酵素、好ましくはトランスグルタミナーゼである、請求項１から７までのいずれか１項に記載の方法。
【請求項９】
前記油相がさらに、多官能価モノマー、好ましくは少なくとも２個のポリイソシアネート基を有するポリイソシアネートを含む、請求項１から８までのいずれか１項に記載の方法。
【請求項１０】
ステップ（ｉｖ）の後に、さらに以下の
（ｖ）任意で、マイクロカプセルシェル上に、少なくとも１つの鉱物質前駆体を吸着させるステップ、
（ｖｉ）マイクロカプセルシェル上での鉱物質層の成長を誘発するために適切な条件を適用するステップ
からなるステップを含む、請求項１から９までのいずれか１項に記載の方法。
【請求項１１】
少なくとも１つの鉱物質前駆体溶液中でコア・シェル型マイクロカプセルをインキュベートすることによりマイクロカプセルシェル上に前記鉱物質前駆体を吸着させ、前記鉱物質前駆体溶液は、硫酸鉄（ＩＩ）溶液、塩化鉄（ＩＩＩ）溶液、カルシウムベースの塩溶液、リン酸塩ベースの塩溶液、炭酸塩ベースの塩溶液、チタンベースの前駆体溶液、亜鉛ベースの前駆体溶液およびこれらの混合物の群から選択する、請求項１０に記載の方法。
【請求項１２】
ステップ（ｖ）で得られたマイクロカプセルをさらに、前記鉱物質前駆体とは反対の電荷を有する第二の鉱物質前駆体の溶液中で、またはステップ（ｖ）の前記鉱物質前駆体の鉱質化を誘発するための溶液中でインキュベーションする、請求項１１または１２に記載の方法。
【請求項１３】
−  オイルベースのコア、
−  任意で、重合された多官能価モノマーから構成された内側のシェル、
−  タンパク質を含有し、少なくとも１つのタンパク質は架橋されているバイオポリマーシェルおよび
−  任意で、少なくとも１つの外側の鉱物質層
から構成されている少なくとも１つのマイクロカプセルを含有するコア・シェル型マイクロカプセルのスラリー。
【請求項１４】
前記タンパク質が、カゼイン酸ナトリウムを含む、請求項１３に記載のコア・シェル型マイクロカプセルのスラリー。
【請求項１５】
前記タンパク質が、カゼイン酸ナトリウムとホエイプロテインとを含む混合物である、請求項１３または１４に記載のコア・シェル型マイクロカプセルのスラリー。
【請求項１６】
少なくとも２個のポリイソシアネート官能基を有する、重合されたポリイソシアネートから構成された内側のシェルを有する、請求項１３から１５までのいずれか１項に記載のコア・シェル型マイクロカプセルのスラリー。
【請求項１７】
請求項１３から１６までのいずれか１項に記載のマイクロカプセルを含有する組成物であって、付香された消費者製品、好ましくは制汗剤、ヘアケア製品、ボディケア製品、口腔ケア製品、ランドリーケア製品からなる群から選択される付香された消費者製品の形であるか、またはフレーバー付けされた消費者製品、好ましくはスナック、乳製品、ベーカリー製品、セイバリー、糖菓からなる群から選択されるフレーバー付けされた消費者製品の形である組成物。
【発明の詳細な説明】
【技術分野】
【０００１】
本発明は、コア・シェル型マイクロカプセルを製造するための新規の方法に関する。マイクロカプセルもまた本発明の対象である。前記マイクロカプセルを含有する消費者製品、特に付香された消費者製品またはフレーバー付けされた消費者製品もまた本発明の一部である。
【背景技術】
【０００２】
香料およびフレーバー産業が直面する問題の１つは、活性化合物の揮発性に起因して、嗅覚的な利益が比較的急速に失われることである。それらの活性物質をカプセル封入することは、同時にカプセル内の成分の保護ももたらす。これは、「攻撃(aggressions)」、たとえば酸化または湿分に対してカプセル化されることであるが、他方、フレーバーまたはフレグランスの放出動態をある程度制御して、連続的な放出により感覚的な効果を誘導することも可能になる。
【０００３】
ポリ尿素およびポリウレタンベースのマイクロカプセルスラリーは、たとえば香料産業で広く使用されている。というのも、このようなマイクロカプセルスラリーは、たとえば様々な基材に適用した後に、長時間持続する心地よい嗅覚的効果をもたらすからである。そのようなマイクロカプセルは、先行技術において広く開示されている（たとえば出願人による国際公開第２００７／００４１６６号または欧州特許出願公開第２３００１４６号明細書を参照されたい）。
【０００４】
従って、その性能、特に消費者製品中での安定性に関する性能について妥協することなく、かつ疎水性材料の送達に関して良好な性能をもたらす新規のマイクロカプセルを提供する必要性がなお存在する。
【０００５】
本発明は、架橋されたバイオポリマーシェルを有する新規のコア・シェル型マイクロカプセルに基づいて、上記の課題に対する解決手段を提案するものである。
【発明の概要】
【０００６】
ところで、タンパク質の錯塩形成によって膜の密度を高め、次いでタンパク質を架橋することにより、疎水性材料、好ましくは活性成分をカプセル封入する高性能のマイクロカプセルが得られることが判明した。従って、本発明の方法は、上記の問題に対する解決策を提供するものである。というのも、様々な適用において所望される安定性を備えたマイクロカプセルの製造が可能になるからである。
【０００７】
第一の態様では、本発明は、コア・シェル型マイクロカプセルのスラリーを製造する方法であって、以下のステップ：
（ｉ）塩および任意で架橋剤を、少なくとも１つのタンパク質を含有する水溶液に添加混合して、水相を形成するステップ、
（ｉｉ）疎水性材料、好ましくは香料オイルまたはフレーバーオイルを含有する油相を、前記水相中に分散させて、水中油型エマルションを形成するステップ、
（ｉｉｉ）架橋剤がステップ（ｉ）で添加されていなかった場合には、前記水中油型エマルションに架橋剤を添加するステップ、
（ｉｖ）前記タンパク質がスラリーの形でコア・シェル型マイクロカプセルを形成する架橋を誘発するために十分な条件を適用するステップ
を含む方法に関する。
【０００８】
第二の態様では、本発明は、
オイルベースのコア、
任意で、重合された多官能価モノマーから構成された内側のシェル、
タンパク質を含有し、少なくとも１つのタンパク質が架橋されているバイオポリマーシェルおよび
任意で、少なくとも１つの外側の鉱物質層
から構成されている少なくとも１つのマイクロカプセルを含有するコア・シェル型マイクロカプセルのスラリーに関する。
【０００９】
第三の態様では、本発明は、上記で定義した方法により得られるコア・シェル型マイクロカプセルスラリーに関する。
【００１０】
第四の態様および第五の態様では、本発明は、上記で定義したマイクロカプセルを含有する、付香された消費者製品およびフレーバー付けされた食用製品に関する。
【図面の簡単な説明】
【００１１】
【図１】図１は、シャワージェルベース中での本発明のマイクロカプセルの安定性を示す（３７℃、１週間）
【図２】図２は、繊維柔軟剤ベース中での本発明のマイクロカプセルの安定性を示す（３７℃、１週間）
【図３】図３は、繊維柔軟剤ベースから吸取紙上で評価した、本発明のマイクロカプセルの嗅覚的性能を示す（３７℃、２週間）
【図４】図４は、繊維柔軟剤ベース中での本発明のマイクロカプセルの安定性を示す（３７℃、１ヶ月）
【図５】図５は、繊維柔軟剤ベースからライン乾燥したタオルにおいて評価した本発明のマイクロカプセルの嗅覚的性能を示す
【図６】図６は、鉱質化された本発明によるマイクロカプセルである鉱質化カプセルＫの走査型電子顕微鏡写真を示す
【図７】図７は、鉱質化された本発明によるマイクロカプセルである鉱質化カプセルＮの走査型電子顕微鏡写真を示す
【図８】図８は、鉱質化された本発明によるマイクロカプセルである鉱質化カプセルＯの走査型電子顕微鏡写真を示す
【図９】図９は、本発明によるマイクロカプセルであるカプセルＥの走査型電子顕微鏡写真を示す
【図１０】図１０は、鉱質化され、かつ噴霧乾燥された本発明によるマイクロカプセルである、噴霧乾燥プロトコルに供した鉱質化カプセルＰの走査型電子顕微鏡写真を示す
【図１１】図１１は、本発明によるカプセルＪの走査型電子顕微鏡写真を示す
【図１２】図１２は、吸取紙で評価した、ロールオンタイプの制汗剤組成物中での本発明のマイクロカプセルの嗅覚的性能を示す
【図１３】図１３は、毛髪上で評価した、リーブオン・コンディショナー組成物中での本発明のマイクロカプセルの嗅覚的性能を示す
【図１４】図１４は、毛髪上で評価した、リンスオフ・シャンプー組成物中での本発明のマイクロカプセルの嗅覚的性能を示す
【図１５】図１５は、界面活性剤混合物サンプルから毛髪上での本発明によるマイクロカプセル（カプセルＥ、Ｇ、Ｈ）ならびに本発明による鉱質化マイクロカプセル（カプセルＮ、Ｋ、Ｌ）のマイクロカプセル堆積のパーセンテージを示す
【図１６】図１６は、過酸化水素溶液（ｐＨ６．５）中、２２℃で１ヶ月インキュベーションした後の本発明によるマイクロカプセル（カプセルＮ）の鉱物質コーティングの安定性を示す
【図１７】図１７は、高エタノールＥｄＴ組成物について、摩擦効果の前と後とに示される平均的な嗅覚的強度を示す
【図１８】図１８は、低エタノールＥｄＴ組成物について、摩擦効果の前と後とに示される平均的な嗅覚的強度を示す
【発明を実施するための形態】
【００１２】
その他の記載がない限り、パーセンテージ（％）は、組成物の質量百分率を意味する。
【００１３】
「疎水性材料」とは、水と混合した時に２相の分散液を形成する材料を意味する。本発明によれば、疎水性材料は、「不活性」材料、たとえば溶剤または活性成分であってもよい。１実施態様によれば、疎水性材料は、疎水性の活性成分である。
【００１４】
「活性成分」とは、単一の化合物または複数の成分の組合せを意味する。
【００１５】
「香料オイルまたはフレーバーオイル」とは、単一の付香用化合物またはフレーバー付け用化合物またはいくつかの付香用化合物もしくはフレーバー付け用化合物の混合物を意味する。
【００１６】
「消費者製品」または「最終製品」とは、頒布、販売および消費者により使用される準備が整った製造後の製品を意味する。
【００１７】
明確性のため、本発明における「分散液」という表現は、異なった組成の連続相中に粒子が分散している系を意味し、これは特に懸濁液またはエマルションを含む。
【００１８】
「コア・シェル型マイクロカプセル」または同様の記載は、本発明では、ミクロン範囲の粒径分布（たとえば好ましくは約１〜３０００ミクロンに含まれる平均直径（ｄ（ｖ，０．５））を有し、バイオポリマーシェルと、バイオポリマーシェルに囲まれた内部の連続した油相とを含むカプセルを意味する。本発明によれば、「平均直径」または「平均サイズ」という用語は、区別されることなく用いられる。
【００１９】
本発明のマイクロカプセルは、１０ミクロン超、より好ましくは１５ミクロン超、さらにより好ましくは２０ミクロン超の平均サイズを有する。
【００２０】
１実施態様によれば、マイクロカプセルは、１０〜５００ミクロン、好ましくは１０〜１００ミクロン、より好ましくは１０〜５０ミクロンに含まれる平均サイズを有する。
【００２１】
１実施態様によれば、マイクロカプセルは、１５〜５００ミクロン、好ましくは１５〜１００ミクロン、より好ましくは１５〜５０ミクロンに含まれる平均サイズを有する。
【００２２】
１実施態様によれば、マイクロカプセルは、２０〜５００ミクロン、好ましくは２０〜１００ミクロン、より好ましくは２０〜５０ミクロンに含まれる平均サイズを有する。
【００２３】
本発明によるマイクロカプセルは好ましくは凝集していない。
【００２４】
「バイオポリマー膜」または「バイオポリマーシェル」とは、架橋したタンパク質、好ましくは酵素により架橋したタンパク質を含む層を意味する。
【００２５】
本発明の文脈で、「鉱物質層」とは、通常シェルの終端荷電表面(terminating charged surface)に成長する安定した無機の鉱物質層から構成されており、テクスチャ構造の鉱物質表面をもたらすものである。
【００２６】
１実施態様によれば、本発明によるカプセルは、有機と無機とのハイブリッドカプセルである。この特定の実施態様によれば、オルトシリケート、シランまたは複数のシランの組み合わせを油相または水相から添加して、ハイブリッド化された無機／有機膜または表面コーティングを形成することができる。シランは油相中に懸濁させて、内側の膜をケイ化するか、または乳化後に添加して、成長中のポリマーカプセル膜の周囲にケイ化シェルを形成することができる。エマルション液滴中または液滴表面におけるアルコキシドの縮合を介してポリマー膜の内側または外側で３Ｄのシロキサン結合を形成させ、かつ硬化させることにより、インサイドアウトおよびアウトサイドインのゾルゲル重合が生じてもよい。
【００２７】
「鉱物質前駆体」とは、所望の相の成長のために必要とされる鉱物質前駆体であると理解すべきである。鉱物質前駆体は好ましくは、所望の鉱物質相の成長のために必要なイオンを少なくとも部分的に含有する水溶性無機塩である。
【００２８】
「インキュベーション」という用語は、本発明の文脈では、前駆体溶液中にマイクロカプセルを浸し、前記溶液とマイクロカプセルとが相互作用する時間をもたせる行為を記載するために使用される。
【００２９】
「多官能価ポリマー」とは、１つの単位として、化学的に反応または結合して、ポリマーまたは超分子ポリマーを形成する分子を意味する。本発明の多官能価ポリマーは、マイクロカプセルシェルを形成することができる官能基を少なくとも２個有している。
【００３０】
「ポリ尿素ベース」の内壁または内側のシェルとは、ポリマーが、アミノ官能性の架橋剤により、または界面重合の間にイソシアネート基が加水分解されることでさらにイソシアネート基と反応することができるアミノ基を生みだすことによって作られた尿素結合を含むポリマーを意味する。
【００３１】
「ポリウレタンベース」の内壁または内側のシェルとは、ポリマーが、界面重合の間にポリオールとイソシアネート基とが反応することによって作られたウレタン結合を有するポリマーを意味する。
【００３２】
「タンパク質」とは、単一のタンパク質または複数のタンパク質の組合せを意味する。
【００３３】
コア・シェル型マイクロカプセルスラリーの製造方法
従って本発明は、第一の態様では、コア・シェル型マイクロカプセルのスラリーを製造する方法に関するものであり、前記方法は、以下のステップ：
（ｉ）塩および任意で架橋剤を、タンパク質を含有する水溶液に添加混合して、水相を形成するステップ、
（ｉｉ）疎水性材料、好ましくは香料オイルまたはフレーバーオイルを含有する油相を、前記水相中に分散させて、水中油型エマルションを形成するステップ、
（ｉｉｉ）架橋剤がステップ（ｉ）で添加されていなかった場合には、前記水中油型エマルションに架橋剤を添加するステップ、
（ｉｖ）前記タンパク質がスラリーの形でコア・シェル型マイクロカプセルを形成する架橋を誘発するために十分な条件を適用するステップ
を含む。
【００３４】
１実施態様によれば、ステップ（ｉｖ）は、架橋剤によってタンパク質の架橋が誘発されて、スラリーの形のコア・シェル型マイクロカプセルが形成されるために十分な条件を適用することからなる。
【００３５】
疎水性材料（油相）
１実施態様によれば、疎水性材料は、疎水性の活性成分である。
【００３６】
好ましい実施態様によれば、活性成分は、香料オイルまたはフレーバーオイルを含む。カプセル封入されることで利益をもたらす代替的な成分は、香料もしくはフレーバーの代わりに、または香料もしくはフレーバーと組み合わせて使用することができる。そのような成分の非限定的な例は、化粧用、スキンケア用、悪臭抑制用、殺菌用、殺真菌用、医薬用もしくは農薬用の成分、消毒薬、昆虫忌避剤もしくは昆虫誘引剤、およびこれらの混合物を含む。
【００３７】
疎水性の内相中に存在しうる昆虫忌避剤または昆虫誘引剤の性質および種類は、ここでより詳細な記載を保証するものではないし、そのような詳細な記載はいずれにしても網羅的なものにはなりえず、当業者であれば、自身の一般的な知識と、意図する使用もしくは適用に従って選択することができるであろう。
【００３８】
このような昆虫忌避剤もしくは昆虫誘引剤の例は、カバノキ、ＤＥＥＴ（Ｎ，Ｎ−ジエチル−ｍ−トルアミド）、レモンユーカリ（Corymbia citriodora）の精油およびその活性化合物であるｐ−メンタン−３，８−ジオール（ＰＭＤ）、イカリジン（ヒドロキシエチルイソブチルピペリジンカルボキシレート）、ネペタラクトン、シトロネラ油、ニーム油、ヤチヤナギ（Myrica Gale）、ジメチルカルベート、トリシクロデセニルアリルエーテル、ＩＲ３５３５（３−［Ｎ−ブチル−Ｎ−アセチル］−アミノプロピオン酸、エチルエステル、エチルヘキサンジオール、ジメチルフタレート、メトフルトリン、インダロン、ＳＳ２２０、アントラニレート系昆虫忌避剤およびこれらの混合物である。
【００３９】
「香料オイル」（または「香料」ともいう）または「フレーバー」とは、ここでは約２０℃で液状の成分または組成物を意味する。前記の香料またはフレーバーオイルは、付香用成分またはフレーバー付け用成分単独であってもよいし、付香用もしくはフレーバー付け用の組成物の形の成分混合物であってもよい。「付香用成分」として、ここでは、主目的として心地よい効果を付与するために付香用調製物もしくは組成物中で使用される化合物を意味する。換言すれば、付香用の成分であるとみなされ、当業者によって、少なくとも組成物の匂いに肯定的な特性もしくは快適さを付与するか、または組成物の匂いを好適的にもしくは快適に変性することができると認識される成分でなくてはならず、単に匂いを有するのみの成分ではない。油相中に存在する付香用成分の性質および種類はここでより詳細な記載を保証するものではなく、そのような詳細な記載はいずれにしても網羅的なものにはなりえず、当業者であれば、自身の一般的な知識と、意図する使用もしくは適用および所望の嗅覚的効果に従って選択することができるであろう。一般的には、これらの付香用成分は、アルコール、アルデヒド、ケトン、エステル、エーテル、アセテート、ニトリル、テルペノイド、窒素もしくは硫黄を有するヘテロ環化合物および精油といった多様な化学クラスに属し、前記の付香用補助成分は、天然由来のものであっても、合成されたものであってもよい。これらの補助成分の多くは、S. Arctanderによる著書のPerfume and Flavor Chemicals, 1969, Montclair, New Jersey, USAのような参考文献、またはその最新版、あるいは同様の性質のその他の文献、ならびに香料の分野における数多くの特許文献に列挙されている。前記の成分は、様々な種類の付香用化合物を制御された方法で放出することで知られている化合物であってもよい。
【００４０】
付香用成分は、香料産業において目下使用されている溶剤中に溶解されていてもよい。溶剤はアルコールでないことが好ましい。そのような溶剤の例は、ジエチルフタレート、イソプロピルミリステート、Abalyn(R)（ロジン樹脂、Eastmanから入手可能）、ベンジルベンゾエート、エチルシトレート、リモネンもしくはその他のテルペン、またはイソパラフィンである。溶剤は、好ましくは極めて疎水性であり、かつ高度に立体障害を有するものであり、たとえばAbalyn(R)またはベンジルベンゾエートである。香料は好ましくは３０％未満の溶剤を含有する。香料はより好ましくは２０％未満、より好ましくは１０％未満の溶剤を含有し、これらのパーセンテージは全て、香料の全質量に対する質量によって定義される。最も好ましくは、香料は実質的に溶剤不含である。
【００４１】
好ましい付香用成分は、高い立体障害を有するものであり、特に以下の群の１つからのものである：
−  グループ１：少なくとも１つの直鎖もしくは分岐鎖Ｃ１〜Ｃ４アルキルもしくはアルケニル置換基により置換されたシクロヘキサン、シクロヘキセン、シクロヘキサノンまたはシクロヘキセノン環を含む付香用成分、
−  グループ２：少なくとも１つの直鎖もしくは分岐鎖Ｃ４〜Ｃ８アルキルもしくはアルケニル置換基により置換されたシクロペンタン、シクロペンテン、シクロペンタノンまたはシクロペンテノン環を含む付香用成分、
−  グループ３：フェニル環を有する付香用成分、または少なくとも１つの直鎖もしくは分岐鎖Ｃ５〜Ｃ８アルキルもしくはアルケニル置換基により、または少なくとも１つのフェニル置換基および任意で１つ以上の直鎖もしくは分岐鎖Ｃ１〜Ｃ３アルキルもしくはアルケニル置換基により置換されたシクロヘキサン、シクロヘキセン、シクロヘキサノンまたはシクロヘキセノン環を含む付香用成分、
−  グループ４：少なくとも２つの縮合環または結合したＣ５および／もしくはＣ６環を含む付香用成分、
−  グループ５：カンファー様の環構造を含む付香用成分、
−  グループ６：少なくとも１つのＣ７〜Ｃ２０環構造を含む付香用成分
−  グループ７：３．５超のｌｏｇＰを有し、少なくとも１つのｔ−ブチル置換基もしくは少なくとも１つのトリクロロメチル置換基を含む付香用成分。
【００４２】
これらの群のそれぞれからの成分の例は以下のとおりである：
−  グループ１：２，４−ジメチル−３−シクロヘキセン−１−カルボアルデヒド（入手元：スイス国ジュネーブ在、Firmenich SA社）、イソシクロシトラール、メントン、イソメントン、Romascone(R)（メチル２，２−ジメチル−６−メチレン−１−シクロヘキサンカルボキシレート（入手元：スイス国ジュネーブ在、Firmenich SA社）、ネロン、テルピネオール、ジヒドロテルピネオール、テルペニルアセテート、ジヒドロテルペニルアセテート、ジペンテン、ユーカリプトール、ヘキシレート、ローズオキサイド、Perycorolle(R)（（Ｓ）−１，８−ｐ−メンタジエン−７−オール（入手元：スイス国ジュネーブ在、Firmenich SA社）、１−ｐ−メンテン−４−オール（１ＲＳ，３ＲＳ，４ＳＲ）−３−ｐ−メンタニルアセテート、（１Ｒ，２Ｓ，４Ｒ）−４，６，６−トリメチル−ビシクロ［３，１，１］ヘプタン−２−オール、Doremox(R)（テトラヒドロ−４−メチル−２−フェニル−２Ｈ−ピラン（入手元：スイス国ジュネーブ在、Firmenich SA社）、シクロヘキシルアセテート、シクラノールアセテート、Fructalate(R)（１，４−シクロヘキサンジエチルジカルボキシレート（入手元：スイス国ジュネーブ在、Firmenich SA社）、Koumalactone(R)（（３ＡＲＳ，６ＳＲ，７ＡＳＲ）−ペルヒドロ−３，６−ジメチル−ベンゾ［Ｂ］フラン−２−オン、（入手元：スイス国ジュネーブ在、Firmenich SA社）、Natactone(R)（（６Ｒ）−ペルヒドロ−３，６−ジメチル−ベンゾ［Ｂ］フラン−２−オン（入手元：スイス国ジュネーブ在、Firmenich SA社）、２，４，６−トリメチル−４−フェニル−１，３−ジオキサン、２，４，６−トリメチル−３−シクロヘキセン−１−カルボアルデヒド、
−  グループ２：（Ｅ）−３−メチル−５−（２，２，３−トリメチル−３−シクロペンテン−１−イル）−４−ペンテン−２−オール（入手元：スイス国ヴェルニエ在、Givaudan SA社）、（１’Ｒ，Ｅ）−２−エチル−４−（２’，２’，３’−トリメチル−３’−シクロペンテン−１’−イル）−２−ブテン−１−オール（入手元：スイス国ジュネーブ在、Firmenich SA社）、Polysantol(R)（（１’Ｒ，Ｅ）−３，３−ジメチル−５−（２’，２’，３’−トリメチル−３’−シクロペンテン−１’−イル）−４−ペンテン−２−オール（入手元：スイス国ジュネーブ在、Firmenich SA社）、fleuramone、Hedione(R)ＨＣ（メチル−シス−３−オキソ−２−ペンチル−１−シクロペンタンアセテート（入手元：スイス国ジュネーブ在、Firmenich SA社）、Veloutone(R)（２，２，５−トリメチル−５−ペンチル−１−シクロペンタノン（入手元：スイス国ジュネーブ在、Firmenich SA社）、Nirvanol(R)（３，３−ジメチル−５−（２，２，３−トリメチル−３−シクロペンテン−１−イル）−４−ペンテン−２−オール（入手元：スイス国ジュネーブ在、Firmenich SA社）、３−メチル−５−（２，２，３−トリメチル−３−シクロペンテン−１−イル）−２−ペンタノール（入手元：スイス国ヴェルニエ在、Givaudan SA社）、
−  グループ３：ダマスコン、Neobutenone(R)（１−（５，５−ジメチル−１−シクロヘキセン−１−イル）−４−ペンテン−１−オン（入手元：スイス国ジュネーブ在、Firmenich SA社）、ネクタラクトン（（１’Ｒ）−２−［２−（４’−メチル−３’−シクロヘキセン−１’−イル）プロピル］シクロペンタノン）、アルファ−イオノン、ベータ−イオノン、ダマスコン、Dynascone(R)（１−（５，５−ジメチル−１−シクロヘキセン−１−イル）−４−ペンテン−１−オンと１−（３，３−ジメチル−１−シクロヘキセン−１−イル）−４−ペンテン−１−オンの混合物）（入手元：スイス国ジュネーブ在、Firmenich SA社）、Dorinone(R)ベータ（１−（２，６，６−トリメチル−１−シクロヘキセン−１−イル）−２−ブテン−１−オン（入手元：スイス国ジュネーブ在、Firmenich SA社）、Romandolide(R)（（１Ｓ，１’Ｒ）−［１−（３’，３’−ジメチル−１’−シクロヘキシル）エトキシカルボニル］メチルプロパノエート（入手元：スイス国ジュネーブ在、Firmenich SA社）、２−ｔｅｒｔ−ブチル−１−シクロヘキシルアセテート（入手元：USA在、International Flavors and Fragrances社）、Limbanol(R)（１−（２，２，３，６−テトラメチル−シクロヘキシル）−３−ヘキサノール（入手元：スイス国ジュネーブ在、Firmenich SA社）、トランス−１−（２，２，６−トリメチル−１−シクロヘキシル）−３−ヘキサノール（入手元：スイス国ジュネーブ在、Firmenich SA社）、（Ｅ）−３−メチル−４−（２，６，６−トリメチル−２−シクロヘキセン−１−イル）−３−ブテン−２−オン、テルペニルイソブチレート、Lorysia(R)（４−（１，１−ジメチルエチル）−１−シクロヘキシルアセテート（入手元：スイス国ジュネーブ在、Firmenich SA社）、８メトキシ−１−ｐ−メンテン、Helvetolide(R)（（１Ｓ，１’Ｒ）−２−［１−（３’，３’−ジメチル−１’−シクロヘキシル）エトキシ］−２−メチルプロピルプロパノエート（入手元：スイス国ジュネーブ在、Firmenich SA社）、パラｔｅｒｔ−ブチルシクロヘキサノン、メンテンチオール、１−メチル−４−（４−メチル−３−ペンテニル）−３−シクロヘキセン−１−カルボアルデヒド、アリルシクロヘキシルプロピオネート、シクロヘキシルサリチレート、２−メトキシ−４−メチルフェニルメチルカーボネート、エチル２−メトキシ−４−メチルフェニルカーボネート、４−エチル−２−メトキシフェニルメチルカーボネート、
−  グループ４：メチルセドリルケトン（入手元：USA在、International Flavors and Fragrances社）、ベルジレート、ベチベロール、ベチベロン、１−（オクタヒドロ−２，３，８，８−テトラメチル−２−ナフタレニル）−１−エタノン（入手元：USA在、International Flavors and Fragrances社）、（５ＲＳ，９ＲＳ，１０ＳＲ）−２，６，９，１０−テトラメチル−１−オキサスピロ［４．５］デカ−３，６−ジエンおよび（５ＲＳ，９ＳＲ，１０ＲＳ）異性体、６−エチル−２，１０，１０−トリメチル−１−オキサスピロ［４．５］デカ−３，６−ジエン、１，２，３，５，６，７−ヘキサヒドロ−１，１，２，３，３−ペンタメチル−４−インデンオン（入手元：USA在、International Flavors and Fragrances社）、Hivernal(R)（３−（３，３−ジメチル−５−インダニル）プロパナールと３−（１，１−ジメチル−５−インダニル）プロパナールとの混合物）（入手元：スイス国ジュネーブ在、Firmenich SA社）、Rhubofix(R)（３’，４−ジメチル−トリシクロ［６．２．１．０（２，７）］ウンデセ−４−エン−９−スピロ−２’−オキシラン（入手元：スイス国ジュネーブ在、Firmenich SA社）、９／１０−エチルジエン−３−オキサトリシクロ［６．２．１．０（２，７）］ウンデカン、Polywood(R)（ペルヒドロ−５，５，８Ａ−トリメチル−２−ナフタレニルアセテート（入手元：スイス国ジュネーブ在、Firmenich SA社）、オクタリノール、Cetalox(R)（ドデカヒドロ−３ａ，６，６，９ａ−テトラメチル−ナフト［２，１−ｂ］フラン（入手元：スイス国ジュネーブ在、Firmenich SA社）、トリシクロ［５．２．１．０（２，６）］デセ−３−エン−８−イルアセテートおよびトリシクロ［５．２．１．０（２，６）］デセ−４−エン−８−イルアセテートならびにトリシクロ［５．２．１．０（２，６）］デセ−３−エン−８−イルプロパノエートおよびトリシクロ［５．２．１．０（２，６）］デセ−４−エン−８−イルプロパノエート、（＋）−（１Ｓ，２Ｓ，３Ｓ）−２，６，６−トリメチル−ビシクロ［３．１．１］ヘプタン−３−スピロ−２’−シクロヘキセン−４’−オン、
−  グループ５：カンファー、ボルネオール、イソボルニルアセテート、８−イソプロピル−６−メチル−ビシクロ［２．２．２］オクト−５−エン−２−カルボアルデヒド、カンフォピネン、セドランバー（８−メトキシ−２，６，６，８−テトラメチル−トリシクロ［５．３．１．０（１，５）］ウンデカン（入手元：スイス国ジュネーブ在、Firmenich SA社）、セドレン、セドレノール、セドロール、Florex(R)（９−エチリデン−３−オキサトリシクロ［６．２．１．０（２，７）］ウンデカン−４−オンと１０−エチリデン−３−オキサトリシクロ［６．２．１．０（２，７）］ウンデカン−４−オンとの混合物）（入手元：スイス国ジュネーブ在、Firmenich SA社）、３−メトキシ−７，７−ジメチル−１０−メチレン−ビシクロ［４．３．１］デカン（入手元：スイス国ジュネーブ在、Firmenich SA社）、
−  グループ６：Cedroxyde(R)（トリメチル−１３−オキサビシクロ−［１０．１．０］−トリデカ−４，８−ジエン（入手元：スイス国ジュネーブ在、Firmenich SA社）、Ambrettolide LG（（Ｅ）−９−ヘキサデセン−１６−オリド（入手元：スイス国ジュネーブ在、Firmenich SA社）、Habanolide(R)（ペンタデセノリド、入手元：スイス国ジュネーブ在、Firmenich SA社）、ムセノン（３−メチル−（４／５）−シクロペンタデセノン（入手元：スイス国ジュネーブ在、Firmenich SA社）、ムスコン（入手元：スイス国ジュネーブ在、Firmenich SA社）、Exaltolide(R)（ペンタデカノリド、入手元：スイス国ジュネーブ在、Firmenich SA社）、Exaltone(R)（シクロペンタデカノン、入手元：スイス国ジュネーブ在、Firmenich SA社）、（１−エトキシエトキシ）シクロドデカン（入手元：スイス国ジュネーブ在、Firmenich SA社）、アストロトン、４，８−シクロドデカジエン−１−オン、
−  グループ７：Lilial(R)（入手元：スイス国ヴェルニエ在、Givaudan SA社）、ロジノール。
【００４３】
香料は、好ましくは上記で定義したグループ１〜７から選択された成分を、少なくとも３０％、好ましくは少なくとも５０％、より好ましくは少なくとも６０％含有する。より好ましくは、前記香料は、上記で定義したグループ３〜７からの成分を少なくとも３０％、好ましくは少なくとも５０％含有する。最も好ましくは、香料は、上記で定義したグループ３、４、６または７からの成分を、少なくとも３０％、好ましくは少なくとも５０％含有する。
【００４４】
もう１つの好ましい実施態様によれば、香料は、３超、好ましくは３．５超、および一層好ましくは３．７５超のｌｏｇＰを有する成分を、少なくとも３０％、好ましくは少なくとも５０％、さらに好ましくは少なくとも６０％含有する。
【００４５】
好ましくは、本発明において使用される香料は、香料自体の質量の１０％未満の第一級アルコール、香料自体の質量の１５％未満の第二級アルコール、および香料自体の質量の２０％未満の第三級アルコールを含有する。有利には、本発明において使用される香料は、第一級アルコールを含有しておらず、かつ１５％未満の第二級アルコールおよび第三級アルコールを含有している。
【００４６】
１実施態様によれば、油相（またはオイルベースのコア）は、
−  ＬｏｇＴ＜−４を有する高インパクト香料原料を少なくとも１５質量％含有する香料オイル２５〜１００質量％と、
−  １．０７ｇ／ｃｍ３超の比重を有する比重調整用材料０〜７５質量％
とを含有する。
【００４７】
「高インパクト香料原料」は、ＬｏｇＴ＜−４を有する香料原料であると理解すべきである。化合物の匂いの閾値濃度は、部分的に、その形状、極性、部分電荷、および分子量によって決定される。便宜上、閾値濃度は、閾値濃度の一般的な対数、つまりＬｏｇ［閾値］（「ＬｏｇＴ」）として提示される。
【００４８】
「比重調整用材料」とは、１．０７ｇ／ｃｍ３超の比重を有し、好ましくは匂いをほとんど有していないか、もしくは全く有していない材料であると理解すべきである。
【００４９】
付香用化合物の匂い閾値濃度は、ガスクロマトグラフ（「ＧＣ］）を使用することによって決定される。特にガスクロマトグラフは、シリンジによって注入される香料オイル成分の正確な体積、正確な分割比、および公知の濃度と鎖長分布の炭化水素標準を使用する炭化水素応答を決定するために校正される。空気の流量を正確に測定し、かつヒトの吸気の継続時間は１２秒であると仮定して、試料として採取した体積を計算する。検出器の任意の時点における正確な濃度が公知であるから、吸入される体積あたりの質量は公知であり、従って付香用化合物の濃度も公知である。閾値濃度を決定するために、逆算した濃度におけるスニフポートに溶液を送達する。パネリストがＧＣ溶離液の匂いを嗅いで、匂いに気付いた時の保持時間を同定する。パネリスト全員の平均値により、付香用化合物の匂い閾値濃度を決定する。匂い閾値の決定は、C. Vuilleumier et al.等のMultidimensional Visualization of Physical and Perceptual Data Leading to a Creative Approach in Fragrance Development、Perfume & Flavorist、第３３巻、２００８年９月、第５４〜６１頁に、より詳細に記載されている。
【００５０】
ＬｏｇＴ＜−４を有する高インパクト香料原料および１．０７ｇ／ｃｍ３超の比重を有する比重調整用材料の性質は、国際公開第２０１８／１１５２５０号に記載されており、その内容をここで参照することにより取り入れるものとする。
【００５１】
１実施態様によれば、ＬｏｇＴ＜−４を有する高インパクト香料原料は、以下の表Ａのリストから選択される。
【００５２】
【表１−１】
2021528223.tif 000002
【表１−２】
2021528223.tif 000003
【表１−３】
2021528223.tif 000004
【表１−４】
2021528223.tif 000005
【００５３】
１実施態様によれば、ＬｏｇＴ＜−４を有する香料原料は、アルデヒド、ケトン、アルコール、フェノール、エステル、ラクトン、エーテル、エポキシド、ニトリル、およびこれらの混合物からなる群から選択される。
【００５４】
１実施態様によれば、ＬｏｇＴ＜−４を有する香料原料は、アルコール、フェノール、エステル、ラクトン、エーテル、エポキシド、ニトリル、およびこれらの混合物からなる群から選択される少なくとも１つの化合物を、ＬｏｇＴ＜−４を有する香料原料の全質量を基準に、好ましくは２０〜７０質量％に含まれる量で含有する。
【００５５】
１実施態様によれば、ＬｏｇＴ＜−４を有する香料原料は、アルデヒド、ケトン、およびこれらの混合物を、ＬｏｇＴ＜−４を有する香料原料の全質量を基準に、２０〜７０質量％含有する。
【００５６】
従って、オイルベースのコアに含まれている残りの香料原料は、ＬｏｇＴ＞−４を有する。
【００５７】
ＬｏｇＴ＞−４を有する香料原料の非限定的な例は、以下の表Ｂに列挙されている。
【００５８】
【表２−１】
2021528223.tif 000006
【表２−２】
2021528223.tif 000007
【表２−３】
2021528223.tif 000008
【００５９】
１実施態様によれば、油相（もしくはオイルベースのコア）は、１．０７ｇ／ｃｍ３超の比重を有する比重調整用材料を２〜７５質量％と、ＬｏｇＴ＜−４を有する高インパクト香料原料を少なくとも１５質量％含む香料オイルを２５〜９８質量％含有する。
【００６０】
成分の比重は、その質量と体積（ｇ／ｃｍ３）との間の比率により定義される。
【００６１】
成分の比重を決定するためには、複数の方法を利用することができる。
【００６２】
たとえば、精油のｄ２０比重を測定するためには、ＩＳＯ２９８：１９９８法を挙げることができる。
【００６３】
１実施態様によれば、比重調整用材料は、ベンジルサリチレート、ベンジルベンゾエート、シクロヘキシルサリチレート、ベンジルフェニルアセテート、フェニルエチルフェノキシアセテート、トリアセチン、メチルサリチレート、エチルサリチレート、ベンジルシンナメート、およびこれらの混合物からなる群から選択される。
【００６４】
特定の１実施態様によれば、比重調整用材料は、ベンジルサリチレート、ベンジルベンゾエート、シクロヘキシルサリチレート、およびこれらの混合物からなる群から選択される。
【００６５】
特定の１実施態様によれば、疎水性材料は、活性成分（たとえば香料）を含有していない。この特定の実施態様によれば、疎水性材料は、疎水性溶剤、好ましくは、イソプロピルミリステート、トリグリセリド（たとえばNeobee(R)MCTオイル、植物油）、Ｄ-リモネン、シリコーンオイル、鉱油およびこれらの混合物からなる群から選択される疎水性溶剤、任意で好ましくは１，４−ブタンジオール、ベンジルアルコール、トリエチルシトレート、トリアセチン、ベンジルアセテート、エチルアセテート、プロピレングリコール（１，２−プロパンジオール）、１，３−プロパンジオール、ジプロピレングリコール、グリセロール、グリコールエーテル、およびこれらの混合物からなる群から選択される親水性溶剤との混合物を含むか、好ましくは前記の材料からなる。
【００６６】
「フレーバー成分もしくは組成物」とは、ここでは、フレーバー付け用成分、またはフレーバー付け用成分、フレーバー付け用配合物の調製のために目下使用されている溶剤または助剤の混合物、つまり食用組成物またはチュアブル製品に添加して、その感覚的な特性、特にそのフレーバーおよび／または味を付与、改善もしくは変性することが意図された成分の特定の混合物を意味する。味覚調整剤もまた、前記の定義に包含される。フレーバー付け用成分もまた、当業者には周知であり、その性質はここでは詳細な記載を保証するものではなく、そのような詳細な記載はいずれにしても網羅的なものにはならず、経験を積んだフレーバリストであれば、自身の一般的な知識と、意図された使用もしくは適用に従い、かつ達成することが所望されている感覚的効果に従って、それらの成分を選択することができるであろう。これらのフレーバー付け用成分の多くは、S. Arctanderによる著書であるPerfume and Flavor Chemicals、１９６９年、 Montclair, N.J.、USAといった参考テキストまたはその最新版、または同様の性質のその他の著書、たとえばFenaroli著、Handbook of Flavor Ingredients、１９７５年、 CRC Press、またはM.B. Jacobs著、Synthetic Food Adjuncts、１９４７年、Nostrand Co., Inc.に列挙されている。溶剤および助剤またはフレーバー付け用配合物を調製するための目下の使用もまた、この分野では周知である。
【００６７】
特定の１実施態様では、フレーバーは、シトラスオイルおよびミントオイルを含むテルペン系フレーバーおよびスルフリルフレーバーからなる群から選択される。
【００６８】
本発明の任意の実施態様によれば、オイルは、水中油型エマルションの全質量に対して、約１０％〜６０％ｗ／ｗ、または２０％〜５０％ｗ／ｗである。
【００６９】
任意の多官能価モノマー（油相）
１実施態様によれば、シェルを強化するために、前記疎水性材料に加えてさらに多官能価モノマーを油相に添加する。
【００７０】
多官能価モノマーは、少なくとも１つのポリイソシアネート、ポリ無水マレイン酸、ポリ塩化アシル、ポリエポキシド、アクリレートモノマーおよびポリアルコキシシランからなる群から選択することができる。
【００７１】
本発明による方法において使用される多官能価モノマーは、ステップｉｖ）のスラリーの０．０２５〜１５質量％、好ましくは０．１〜１５質量％、より好ましくは０．１〜６質量％、およびさらにより好ましくは０．１〜１質量％の量で存在する。
【００７２】
特定の１実施態様によれば、多官能価モノマーは、少なくとも２個のイソシアネート官能基を有する少なくとも１つのポリイソシアネートである。
【００７３】
本発明により使用される、適切なポリイソシアネートは、芳香族ポリイソシアネート、脂肪族ポリイソシアネートおよびこれらの混合物を含む。前記ポリイソシアネートは、少なくとも２個、好ましくは少なくとも３個のイソシアネート官能基を有しているが、しかし６個まで、もしくは４個のみのイソシアネート官能基を有していてもよい。特定の１実施態様によれば、トリイソシアネート（イソシアネート官能基が３個）を使用する。
【００７４】
１実施態様によれば、前記ポリイソシアネートは、芳香族ポリイソシアネートである。「芳香族ポリイソシアネート」という用語は、ここでは、芳香族部分を有する任意のポリイソシアネートを含むものであることを意味する。好ましくは、前記ポリイソシアネートは、フェニル、トルイル、キシリル、ナフチルもしくはジフェニル部分を有しており、より好ましくはトルイルもしくはキシリル部分を有している。好ましい芳香族ポリイソシアネートは、ビウレット、ポリイソシアヌレート、およびジイソシアネートのトリメチロールプロパン付加物であり、より好ましくは、上記の特定の芳香族部分を有するものを含む。より好ましくは、芳香族ポリイソシアネートは、トルエンジイソシアネートのポリイソシアヌレート（Bayer社から、Desmodur(R)RCの商品名で市場において入手可能）、トルエンジイソシアネートのトリメチロールプロパン付加物（Bayer社から、Desmodur(R)L75の商品名で市場において入手可能）、キシリレンジイソシアネートのトリメチロールプロパン付加物（三井化学株式会社から、Takenate(R)D-110Nの商品名で市場において入手可能）である。最も好ましい１実施態様では、芳香族ポリイソシアネートは、キシリレンジイソシアネートのトリメチロールプロパン付加物である。
【００７５】
もう１つの実施態様によれば、前記ポリイソシアネートは、脂肪族ポリイソシアネートである。「脂肪族ポリイソシアネート」という用語は、芳香族部分を有していないポリイソシアネートとして定義される。好ましい脂肪族ポリイソシアネートは、ヘキサメチレンジイソシアネートの三量体、イソホロンジイソシアネートの三量体、ヘキサメチレンジイソシアネートのトリメチロールプロパン付加物（三井化学株式会社から入手可能）、またはヘキサメチレンジイソシアネートのビウレット（Bayer社から、Desmodur(R)N100の商品名で入手可能）であり、これらの中でもヘキサメチレンジイソシアネートのビウレットがさらにより好ましい。
【００７６】
もう１つの実施態様によれば、前記少なくとも１つのポリイソシアネートは、いずれも少なくとも２個もしくは３個のイソシアネート官能基を有する、少なくとも１種の脂肪族ポリイソシアネートと、少なくとも１種の芳香族ポリイソシアネートとの混合物の形であり、たとえばヘキサメチレンジイソシアネートのビウレットと、キシリレンジイソシアネートのトリメチロールプロパン付加物との混合物、ヘキサメチレンジイソシアネートのビウレットと、トルエンジイソシアネートのポリイソシアヌレートとの混合物、およびヘキサメチレンジイソシアネートのビウレットと、トルエンジイソシアネートのトリメチロールプロパン付加物との混合物である。最も好ましいのは、ヘキサメチレンジイソシアネートのビウレットと、キシリレンジイソシアネートのトリメチロールプロパン付加物との混合物である。好ましくは、混合物として使用される場合、脂肪族ポリイソシアネートと芳香族ポリイソシアネートとの間のモル比は、８０：２０〜１０：９０の範囲である。
【００７７】
この実施態様によれば、重合した多官能価モノマーから構成された内側のシェルは、この方法における界面重合によって形成される。前記内側のシェルの形成は、バイオポリマーシェルの形成前、形成中、または形成後に行うことができる。
【００７８】
特定の１実施態様によれば、油相は、ポリイソシアネートを含んでおらず、好ましくは多官能価モノマーを含んでいない。
【００７９】
タンパク質（水相）
水相中のタンパク質は、乳化剤として使用され、水相中の油滴の安定化を可能にする。
【００８０】
１実施態様によれば、タンパク質は、ミルクプロテイン、カゼイン酸塩、たとえばカゼイン酸ナトリウムもしくはカゼイン酸カルシウム、カゼイン、ホエイプロテイン、タンパク加水分解物、ゼラチン、グルテン、ピープロテイン、ソイプロテイン、シルクプロテイン、およびこれらの混合物からなる群から選択される。
【００８１】
特定の１実施態様によれば、前記プロテインは、カゼイン酸ナトリウムを含む。
【００８２】
前記プロテインは、ステップｉｖ）において定義したスラリーの全質量を基準として、０．５〜１０質量％、好ましくは１〜８質量％、より好ましくは２〜４質量％の量で使用することができる。
【００８３】
もう１つの特定の実施態様によれば、前記タンパク質は、カゼイン酸ナトリウムと、少なくとも１つの球状タンパク質とを含む混合物である。
【００８４】
「球状タンパク質」とは、自然な状態で第三級構造によって特徴付けられ、熱、圧力または特定の化学物質の作用下で展開したり凝集したりすることができる球状のタンパク質であると理解すべきである。
【００８５】
本発明において使用することができる球状タンパク質の非限定的な例として、ホエイプロテイン、β−ラクトグロブリン、オバルブミン、ウシ血清アルブミン、植物性タンパク質、およびこれらの混合物を挙げることができる。
【００８６】
特定の１実施態様によれば、前記タンパク質は、カゼイン酸ナトリウムおよびホエイプロテインを含む混合物であり、好ましくはカゼイン酸ナトリウムとホエイプロテインとからなる混合物である。
【００８７】
カゼイン酸ナトリウムと球状タンパク質、好ましくはホエイプロテインとの質量比は、０．０１〜１００、好ましくは０．１〜１０、さらに好ましくは０．２〜５に含まれる。
【００８８】
前記タンパク質が、球状タンパク質を含む場合、本発明による方法は、好ましくは、前記タンパク質を変性するためのさらなる加熱ステップを含む。一般に、加熱ステップは、架橋ステップの後に、７０℃〜９０℃に含まれうる温度で行われる。
【００８９】
実際、酵素による架橋および熱によるアニーリングの組み合わせにより、本発明によるマイクロカプセルの性能が改善されることが判明した。
【００９０】
特定の１実施態様によれば、この方法は、
（ｉ）少なくとも１つのタンパク質を含有する水溶液に塩を添加混合して、水相を形成するステップであって、前記タンパク質は、カゼイン酸ナトリウムとホエイプロテインとの混合物であるステップ、
（ｉｉ）疎水性材料、好ましくは香料オイルまたはフレーバーオイル、および任意で多官能価モノマーを含有する油相を前記水相中に分散させて水中油型エマルションを形成するステップ、
（ｉｉｉ）前記水中油型エマルションに酵素架橋剤、好ましくはトランスグルタミナーゼを添加するステップ、
（ｉｖ）架橋剤により、前記カゼイン酸ナトリウムの架橋を誘発するために十分な条件を適用するステップ
（ｖ）ホエイプロテインの変性を、好ましくは熱処理により誘発して、バイオポリマーシェルを形成するために適切な条件を適用するステップ
のステップを含む。
【００９１】
加熱ステップは、温度Ｔｄｅｎ（タンパク質の変性温度）で、好ましくは７０℃〜１００℃、より好ましくは８０℃〜１００℃に含まれる温度で実施することができる。加熱ステップの継続時間は、加熱温度に依存する。一般に、加熱ステップの継続時間は、１０〜６０秒に含まれる。
【００９２】
塩（水相）
本発明によれば、タンパク質の錯塩形成は、油／水界面におけるタンパク質の凝集とタンパク質含有量の最大化にとって重要である。
【００９３】
水相に添加される塩は、カルシウム、ナトリウム、カリウム、リチウム、マグネシウム、硫酸塩、リン酸塩、硝酸塩、臭化物、塩化物、ヨウ化物、アンモニウム塩、およびこれらの混合物からなる群から選択することができる。
【００９４】
１実施態様によれば、前記塩は、ＣａＣｌ２、酢酸カルシウム、酪酸カルシウム、ＮａＣｌ、ＫＣｌ、ＬｉＣｌ、Ｃａ（ＮＯ３）２、ＭｇＣｌ２、ＣａＢｒ２、ＣａＩ２、ＮａＢｒ、ＮａＩ、ＮａＮＯ３、ＫＢｒ、ＫＩ、ＫＮＯ３、ＬｉＢｒ、ＬｉＩ、ＭｇＢｒ２、およびこれらの混合物からなる群から選択される。
【００９５】
１実施態様によれば、前記塩は、ＣａＣｌ２、ＮａＣｌ、ＫＣｌ、ＬｉＣｌ、Ｃａ（ＮＯ３）２、ＭｇＣｌ２、およびこれらの混合物からなる群から選択される。
【００９６】
方法が鉱質化ステップを含む場合、前記塩は好ましくは、カルシウム塩からなる群から選択され、好ましくはＣａＣｌ２またはＣａ（ＮＯ３）２である。というのも、これらは鉱質化のための前駆体だからである。
【００９７】
１実施態様によれば、前記塩と前記タンパク質との質量比は、０．０１：１〜１：１、好ましくは０．１：１〜０．４：１に含まれる。
【００９８】
エマルションは、高せん断混合により製造することができ、所望の液滴サイズに調節することができる。液滴サイズは、好ましくは１〜１０００ミクロン、より好ましくは１０〜５０ミクロンに含まれ、光散乱測定法または顕微鏡により確認することができる。
【００９９】
この手順は、ここでこれ以上の詳細な記載は必要としない。というのも、当業者には周知のものだからである。
【０１００】
１実施態様によれば、平均液滴サイズは、１０ミクロン超である。１実施態様によれば、平均液滴サイズは、２０ミクロン超である。
【０１０１】
１実施態様によれば、平均液滴サイズは、１０〜５００ミクロン、好ましくは１０〜１００ミクロン、より好ましくは１０〜５０ミクロンに含まれる。
【０１０２】
１実施態様によれば、平均液滴サイズは、１５〜５００ミクロン、好ましくは１５〜１００ミクロン、より好ましくは１５〜５０ミクロンに含まれる。
【０１０３】
１実施態様によれば、平均液滴サイズは、２０〜５００ミクロン、好ましくは２０〜１００ミクロン、より好ましくは２０〜５０ミクロンに含まれる。
【０１０４】
架橋剤
本発明によれば、架橋剤はタンパク質を架橋するためのプロセスで添加される。
【０１０５】
架橋剤は、タンパク質を一緒に結合させてバイオポリマーシェルを形成するために重要である。
【０１０６】
架橋剤の存在が本発明の本質的な特徴であるとしても、前記架橋剤は水相に直接添加することができるが、水相に添加されないのであれば、前記架橋剤は水中油型エマルションが形成されてから添加される。
【０１０７】
架橋剤はステップ（ｉ）で水相に添加するか、および／またはステップ（ｉｉｉ）で水中油型エマルションが形成されてから添加することができる。
【０１０８】
特定の１実施態様によれば、架橋剤は、水中油型エマルションが形成されてから添加する。
【０１０９】
本発明において使用される架橋剤は、酵素架橋剤、たとえば酵素であるか、または非酵素架橋剤、たとえばグルタルアルデヒドもしくはゲニピンであってもよい。
【０１１０】
特定の１実施態様によれば、架橋剤は酵素である。
【０１１１】
特定の１実施態様によれば、酵素はトランスグルタミナーゼである。
【０１１２】
酵素は、ステップ（ｉｉｉ）のスラリーの全質量を基準にして、０．００１〜０．１％、好ましくは０．００５〜０．０２％に含まれる量で使用することができる。
【０１１３】
市販の製品には、酵素がキャリアに分散しているものもある。たとえばActiva(R)TI（入手元：味の素）を挙げることができる。換言すれば、ステップ（ｉｉｉ）のスラリーの全質量を基準にして、好ましくは０．００１〜５％、より好ましくは０．００１〜１％、さらにより好ましくは０．００１〜０．１％、いっそう好ましくは０．００５〜０．０２％の量で、市販の製品がプロセスにおいて添加される。
【０１１４】
架橋剤によるタンパク質の架橋を誘発するために必要とされる作業は、当業者に周知である。一般に、架橋剤、好ましくは酵素を含有する水中油型エマルションを、３５℃〜５５℃に含まれる温度で３０分〜４時間混合して、バイオポリマーシェルが形成される。
【０１１５】
架橋剤が酵素である場合、バイオポリマーシェルが形成されてから、スラリーを熱処理して、酵素を失活させることができる。一般に、熱処理は、７０℃〜９０℃に含まれる温度で実施される。
【０１１６】
任意の加熱ステップ
１実施態様によれば、この方法はさらに、架橋ステップの後に、好ましくは７０〜９０℃に含まれる温度で実施される加熱ステップを含む。
【０１１７】
この加熱ステップは、架橋のために酵素が使用される場合には酵素を失活させるために、かつ／または油相に多官能価モノマーが添加される場合には界面重合を誘発するために、かつ／またはタンパク質が非球状タンパク質と球状タンパク質との混合物（たとえばカゼイン酸ナトリウムとホエイプロテインとの混合物）を含む場合には、球状タンパク質の変性を誘発するために使用することができる。
【０１１８】
この加熱ステップは、さらに潜在的に材料を結合するため、隙間の空隙を低減するため、および膜を熱によりアニールすることで欠陥および多孔度を低減させるために使用することもできる。
【０１１９】
任意のバイオミネラリゼーションステップ
１実施態様によれば、この方法は、架橋ステップ（ｉｖ）の後にさらに
（ｖ）任意で、マイクロカプセルシェル上に、少なくとも１つの鉱物質前駆体を吸着させるステップ、
（ｖｉ）マイクロカプセルシェル上での鉱物質層の成長を誘発するために適切な条件を適用するステップ
からなるステップを含む。
【０１２０】
付加的なステップ（ｖ）は、ステップ（ｉ）で添加される塩が鉱物質前駆体である場合（たとえば塩化カルシウムが塩として使用される場合）には、省略することができる。この場合、鉱物質前駆体は、膜の全体に存在し、表面のみに存在するのではない。
【０１２１】
換言すれば、鉱物質前駆体はすでに乳化の間および／または乳化の後でタンパク質が塩に誘発されて封入されることから存在していることが考えられる。
【０１２２】
鉱物質前駆体の性質に依存して、ステップ（ｖ）の前に、マイクロカプセルを濃縮するか、または洗浄することで、過剰の乳化剤溶液を除去することができる。マイクロカプセルは、たとえば遠心分離を行い、上澄みを除去した後に水中に再懸濁させることで洗浄することができる。この実施態様は、鉱物質前駆体溶液が、硫酸鉄（ＩＩ）溶液または塩化鉄（ＩＩＩ）溶液からなる群から選択される場合に特に好適である。
【０１２３】
理論によって束縛されるものではないが、シェルの帯電表面は、機能的なアンカー部位を提供し、マイクロカプセル表面の帯電基の高い局所密度および成核部位によって、鉱物質前駆体種の改善された吸着もしくは吸収が生じ、次いで沈殿種のインサイチュー添加によって鉱物質の成長プロセスが開始されると考えられている。
【０１２４】
鉱物質前駆体は、帯電したカプセルを、カプセルとは反対の電荷で帯電した鉱物質前駆体を含有する少なくとも１つの溶液中でインキュベートし、カプセル表面の完全な被覆を可能にするために十分な撹拌および時間を提供することで、マイクロカプセルの表面に吸着される。溶液中で遊離の鉱物質材料が発生することを防止するために、溶液から過剰の前駆体を除去することができ、次いで沈殿種のインサイチュー添加によって鉱物質の成長プロセスが開始される。過剰の前駆体の除去は全ての実施態様で必要であるわけではなく、特に低濃度の鉱物質前駆体を反応させることにより鉱物質の成長をゆっくり進行させてバイオポリマーシェル上に選択的に材料を成長させる場合には、必要とは限らない。
【０１２５】
当業者であれば、鉱物質の成長プロセスのために適切な条件を選択することができるであろう（たとえば前駆体の選択、反応条件、溶液の濃度、インキュベーション時間、撹拌速度、温度およびｐＨ条件）。
【０１２６】
一般に：
−  鉱質化は室温で生じ、
−  鉱質化プロセスは、鉱物質前駆体の添加に続いて、または沈殿種の添加に続いて（鉱物質前駆体の添加の後に）開始され、
−  鉱物質前駆体の性質に応じて、プロセス所要時間は、１〜２４時間の間である。
【０１２７】
特定の１実施態様によれば、鉱物質前駆体溶液は、硫酸鉄（ＩＩ）溶液（鉄イオンを前駆体として含有）、塩化鉄（ＩＩＩ）溶液（鉄イオンを前駆体として含有）、カルシウムベースの塩溶液（カルシウムイオンを前駆体として含有）、リン酸塩ベースの塩溶液（リン酸イオンを前駆体として含有）、炭酸塩ベースの塩溶液（炭酸イオンを前駆体として含有）、チタンベースの前駆体溶液、亜鉛ベースの前駆体溶液、およびこれらの混合物からなる群から選択される。
【０１２８】
たとえばチタンベースの前駆体として、チタンアルコキシド、または亜鉛ベースの前駆体溶液として、亜鉛アルコキシド、酢酸亜鉛、塩化亜鉛を挙げることができる。
【０１２９】
特定の１実施態様によれば、鉱物質前駆体溶液は、硫酸鉄（ＩＩ）溶液（鉄イオンを前駆体として含有）、塩化鉄（ＩＩＩ）溶液（鉄イオンを前駆体として含有）、カルシウムベースの塩溶液（カルシウムイオンを前駆体として含有）、リン酸塩ベースの塩溶液（リン酸イオンを前駆体として含有）、およびこれらの混合物からなる群から選択される。
【０１３０】
水溶性のカルシウムベースの塩は、塩化カルシウム（ＣａＣｌ２）、硝酸カルシウム（Ｃａ（ＮＯ３）２）、臭化カルシウム（ＣａＢｒ２）、ヨウ化カルシウム（ＣａＩ２）、クロム酸カルシウム（ＣａＣｒＯ４）、酢酸カルシウム（ＣａＣＨ３ＣＯ２）、およびこれらの混合物からなる群から選択することができる。最も好ましいものは、塩化カルシウムおよび硝酸カルシウムである。
【０１３１】
水溶性のリン酸塩ベースの塩は、リン酸ナトリウム（一塩基性）（ＮａＨ２ＰＯ４）、リン酸ナトリウム（二塩基性）（Ｎａ２ＨＰＯ４）、リン酸ナトリウム（三塩基性）：Ｎａ３ＰＯ４、リン酸カリウム（一塩基性）：ＫＨ２ＰＯ４、リン酸カリウム（二塩基性）（Ｋ２ＨＰＯ４）、リン酸カリウム（三塩基性）（Ｋ３ＰＯ４）、リン酸アンモニウム（一塩基性）（（ＮＨ４）Ｈ２ＰＯ４）、リン酸アンモニウム（二塩基性）（（ＮＨ４）２ＨＰＯ４）、リン酸アンモニウム（三塩基性）（（ＮＨ４）３ＰＯ４）、およびこれらの混合物からなる群から選択することができる。
【０１３２】
水溶性炭酸ベースの塩は、ナトリウム、カリウム、およびアンモニウムベースの炭酸塩からなる群から選択することができる。
【０１３３】
この方法のステップ（ｖ）で使用される鉱物質前駆体の電荷は、マイクロカプセルの終端表面の電荷、溶液の条件（ｐＨを含む）、および鉱物質前駆体の終端表面の親和性により決定されることを理解すべきである。
【０１３４】
ステップ（ｉｖ）の後で、バイオポリマーシェルは好ましくは負に帯電している。
【０１３５】
しかし、バイオポリマーシェルの表面は、交互の高分子電解質層または機能性コーティングの吸着によって、鉱物質前駆体の吸着に先立って変更することができる。
【０１３６】
この実施態様は、１つの層または１対の反対の高分子電解質層に限定されるものではなく、２つ、３つ、４つまたはそれ以上の層、あるいは反対の高分子電解質層の対も含む。最後の層の電荷および官能性が、ステップ（ｖ）で添加される鉱物質前駆体の電荷および官能性を決定する。
【０１３７】
１実施態様によれば、カチオン性高分子電解質層は、ポリ（アリルアミンヒドロクロリド）、ポリ−Ｌ−リジンおよびキトサンからなる群から選択される。
【０１３８】
もう１つの実施態様によれば、アニオン性高分子電解質層は、ポリ（ナトリウム４スチレンスルホネート）（ＰＳＳ）、ポリアクリル酸、ポリエチレンイミン、フミン酸、カラギーナン、ペクチン、アラビアゴム、およびこれらの混合物からなる群から選択される。
【０１３９】
特定の１実施態様によれば、アニオン性高分子電解質層は、ＰＳＳである。
【０１４０】
実施態様１
１実施態様によれば、鉱物質前駆体溶液は、硫酸鉄（ＩＩ）溶液または塩化鉄（ＩＩＩ）溶液からなる群から選択される。
【０１４１】
鉱物質の成長プロセスの開始は、沈殿種をインサイチューで添加することにより行うことができる。この実施態様によれば、鉱物質前駆体が鉄溶液である場合、鉄イオンはシェルのアニオン性表面に吸着され、かつ使用される沈殿種は、酸化鉄層を形成するための加水分解のベースである（たとえば水酸化ナトリウム溶液の添加による）。
【０１４２】
溶液中の鉱物質前駆体と、ステップｉｖ）のマイクロカプセルスラリーとの間の質量比は、１：１〜２：１、好ましくは１．３：１〜１．７：１、および最も好ましくは１．５：１〜１．６：１に含まれうる。値は、溶液中の純粋な塩に関するものであり、当業者であれば、水和形が使用される場合には塩の量を調整することができるであろう。
【０１４３】
実施態様２
１実施態様によれば、鉱物質前駆体溶液は、炭酸ナトリウムＮａ２ＣＯ３、塩化カルシウムＣａＣｌ２、二塩基性リン酸ナトリウムＮａ２ＨＰＯ４、一塩基性リン酸ナトリウムＮａＨ２ＰＯ４、三塩基性リン酸ナトリウムＮａ３ＰＯ４、硝酸カルシウムＣａ（ＮＯ３）２からなる群から選択される。
【０１４４】
特定の１実施態様によれば、この方法のステップｉ）における塩として塩化カルシウムＣａＣｌ２またはＣａ（ＮＯ３）２を使用する場合、鉱物質前駆体、つまりＮａ２ＣＯ３またはＮａＨ２ＰＯ４のみを添加して、それぞれ炭酸カルシウムＣａＣＯ３またはリン酸カルシウムＣａＰＯ４から構成された鉱物質層を形成することができる。
【０１４５】
しかし、シェルの耐性を改善するために、次いでマイクロカプセルを再度、数回同時にまたは連続的にその後の前駆体溶液（Ｎａ２ＣＯ３／ＣａＣｌ２またはＮａＨ２ＰＯ４／ＣａＣｌ２）中でインキュベーションすることができる。
【０１４６】
実施態様３
この特定の実施態様によれば、マイクロカプセルは、引き続き、または同時に、それぞれ少なくとも１つの前駆体を含有する少なくとも２つの溶液に導入する。好ましくは、第一の溶液は、カルシウム前駆体を含有する水溶性のカルシウムベースの塩を含み（ステップ（ｖ）の第一の鉱物質前駆体）、かつ第二の溶液は、リン酸塩前駆体を含有する水溶性のリン酸塩ベースの塩を含む（鉱物質層の成長を誘発するための第二の鉱物質前駆体）。添加の順序は、下側の終端層の選択または変化に応じて変更することができる。
【０１４７】
特定の１実施態様によれば、第一の溶液は、硝酸カルシウム（Ｃａ（ＮＯ３）２）を含み、かつ第二の溶液は、リン酸ナトリウム（二塩基性）（Ｎａ２ＨＰＯ４）を含む。
【０１４８】
もう１つの特定の実施態様によれば、第一の溶液は、塩化カルシウム（ＣａＣｌ２）を含み、かつ第二の溶液は、炭酸ナトリウム（Ｎａ２ＣＯ３）を含む。
【０１４９】
シェルの耐性を改善するために、次いでマイクロカプセルを数回、同時に、または連続的に２つの鉱物質前駆体溶液中でインキュベーションすることができる。
【０１５０】
実施態様４
もう１つの実施態様によれば、マイクロカプセルはまず、炭酸塩ベースの塩溶液中で、またはリン酸塩ベースの溶液中でインキュベーションして、炭酸イオンＣＯ３２−またはリン酸イオンＰＯ４３−をそれぞれ、表面に吸着させ、次いで、カルシウムベースの鉱物質溶液中でインキュベーションする。
【０１５１】
もう１つの実施態様によれば、第一の溶液は、炭酸塩前駆体を含有する水溶性の炭酸塩ベースの塩を含み、かつ第二の溶液は、カルシウム前駆体を含有する水溶性のカルシウムベースの塩を含む。
【０１５２】
より具体的には、特定の１実施態様によれば、第一の溶液は、炭酸ナトリウムＮａ２ＣＯ３を含有し、かつ第二の溶液は、塩化カルシウムＣａＣｌ２を含有する。
【０１５３】
シェルの耐性を改善するために、次いでマイクロカプセルを再び数回、同時に、または連続的に２つの鉱物質前駆体溶液中でインキュベーションすることができる。
【０１５４】
上記の異なった実施態様によれば、溶液中の第一の鉱物質前駆体塩と、ステップ（ｉｖ）のマイクロカプセルスラリーとの質量比は、０．０１：１〜０．５：１、より好ましくは０．０３：１〜０．４：１に含まれ、かつ第二の鉱物質前駆体溶液とステップ（ｉｖ）のマイクロカプセルスラリーとの質量比は、０．０１：１〜０．５：１、好ましくは０．０３：１〜０．４：１に含まれることができる。
【０１５５】
特定の１実施態様によれば、溶液中の第一の鉱物質前駆体塩と、ステップ（ｉｖ）のマイクロカプセルスラリーとの質量比は、０．１：１〜０．５：１、好ましくは０．１５：１〜０．４：１に含まれ、かつ第二の鉱物質前駆体溶液とステップ（ｉｖ）のマイクロカプセルスラリーとの質量比は、０．０５：１〜０．３：１、好ましくは０．０８：１〜０．２５：１に含まれることができる。値は、溶液中の純粋な塩に関するものであり、当業者であれば、水和形を使用する場合には、塩の量を調整することができるであろう。
【０１５６】
上記の異なった実施態様によれば、鉱物質層が形成されたら、第一の鉱物質層とは異なった、少なくとも１つの第二の鉱物質層を形成するために、その他の鉱物質前駆体を用いたバイオミネラリゼーションステップを繰り返すことができる。複数の鉱物質層の間に複数の高分子電解質層が形成されてもよい。
【０１５７】
任意の外側コーティング
本発明の特定の１実施態様によれば、ステップ（ｉｖ）の間またはステップ（ｖｉ）の終了時に、および／または鉱質化ステップに次いで、本発明によるスラリーに、多糖類、バイオポリマー、カチオン性ポリマーおよびこれらの混合物からなる群から選択されるポリマーを添加して、マイクロカプセルの外側コーティングを形成することもできる。
【０１５８】
多糖類ポリマーは当業者に周知である。好ましい非イオン性多糖類は、イナゴマメゴム、キシログルカン、グアーゴム、ヒドロキシプロピルグアー、ヒドロキシプロピルセルロース、およびヒドロキシプロピルメチルセルロース、ペクチンおよびこれらの混合物からなる群から選択される。
【０１５９】
特定の１実施態様によれば、コーティングは、カチオン性コーティングからなる。
【０１６０】
カチオン性ポリマーもまた、当業者には周知である。好ましいカチオン性ポリマーは、少なくとも０．５ｍｅｑ／ｇ、より好ましくは少なくとも約１．５ｍｅｑ／ｇ、しかしまた好ましくは約７ｍｅｑ／ｇ未満、より好ましくは約６．２ｍｅｑ／ｇ未満のカチオン電荷密度を有する。カチオン性ポリマーのカチオン電荷密度は、ＵＳ  Ｐｈａｒｍａｃｏｐｏｅｉａの窒素決定に関する化学的試験に記載されているケルダール(Kjeldahl)法によって決定することができる。好ましいカチオン性ポリマーは、第一級、第二級、第三級および／または第四級アミノ基を有する単位を含むものから選択され、前記ポリマーは、ポリマー主鎖の一部を形成するものであっても、主鎖に直接結合している側鎖置換基の一部であってもよい。カチオン性ポリマーの質量平均分子量（Ｍｗ）は、好ましくは１０，０００〜３，５００，０００ダルトン、より好ましくは５０，０００〜２，０００，０００ダルトンである。
【０１６１】
特定の１実施態様によれば、アクリルアミド系、メタクリルアミド系、Ｎ−ビニルピロリドン系、四級化Ｎ，Ｎ−ジメチルアミノメタクリレート系、ジアリルジメチルアンモニウムクロリド系、四級化ビニルイミダゾール（３−メチル−１−ビニル−１Ｈ−イミダゾール−３−イウムクロリド）系、ビニルピロリドン系、アクリルアミドプロピルトリモニウムクロリド系、カッシアヒドロキシプロピルトリモニウムクロリド系、グアーヒドロキシプロピルトリモニウムクロリド系もしくはポリガラクトマンナン２−ヒドロキシプロピルトリメチルアンモニウムクロリドエーテル系、デンプンヒドロキシプロピルトリモニウムクロリド系およびセルロースヒドロキシプロピルトリモニウムクロリド系のカチオン性ポリマーを使用する。好ましいコポリマーは、ポリクアテルニウム−５、ポリクアテルニウム−６、ポリクアテルニウム−７、ポリクアテルニウム−１０、ポリクアテルニウム−１１、ポリクアテルニウム−１６、ポリクアテルニウム−２２、ポリクアテルニウム−２８、ポリクアテルニウム−４３、ポリクアテルニウム−４４、ポリクアテルニウム−４６、カッシアヒドロキシプロピルトリモニウムクロリド、グアーヒドロキシプロピルトリモニウムクロリドもしくはポリガラクトマンナン２−ヒドロキシプロピルトリメチルアンモニウムクロリドエーテル、デンプンヒドロキシプロピルトリモニウムクロリドおよびセルロースヒドロキシプロピルトリモニウムクロリドからなる群から選択すべきである。
【０１６２】
市販の製品の具体例として、Salcare(R)SC60（アクリルアミドプロピルトリモニウムクロリドとアクリルアミドとのカチオン性コポリマー、入手元：BASF社）またはLuviquat(R)、たとえばPQ 11N、FC 550またはStyle（ポリクアテルニウム−１１〜６８、またはビニルピロリドンの四級化コポリマー、入手元：BASF社）あるいはまたJaguar(R)（C13SまたはC17、入手元：Rhodia社）を挙げることができる。
【０１６３】
鉱質化ステップの後でコーティングを添加する場合、鉱質化されたマイクロカプセル表面の電荷および溶液の状態に依存して、アニオン性高分子電解質をまず表面に吸着させ、次いでカチオン性ポリマーを吸着させることができる。あるいはカチオン性ポリマーを吸着させ、次いでアニオン性コーティングを吸着させてもよい。
【０１６４】
鉱質化させたシェルの後官能化は、バリア機能を向上するため、さらなる酵素架橋のための基礎とするため、さらなる鉱質化のための基礎とするため、または異なった機能化表面を提供して適用ベースとの親和性もしくは適用ベースからの性能（たとえば堆積性能）を促すために行うことができる。
【０１６５】
本発明の上記の実施態様の１つによれば、上記のポリマーを、約０％〜５％ｗ／ｗ、または約０．１％〜２％ｗ／ｗの量で添加することができ、この場合のｗ／ｗベースで記載されるパーセンテージは、ステップ（ｉｖ）または（ｖｉ）の後で得られるスラリーの全質量に対するものである。当業者であれば、前記のとおりに添加されるポリマーの一部のみが、マイクロカプセルシェルに組み込まれるおよび／または堆積することは明確に理解できるであろう。
【０１６６】
複合的なマイクロカプセルシステム
１実施態様によれば、本発明のマイクロカプセル（第一のマイクロカプセルスラリー）は、第二のマイクロカプセルスラリーと組み合わせて使用することができる。
【０１６７】
本発明のもう１つの対象は、
−  第一のマイクロカプセルスラリーとしての本発明によるマイクロカプセルスラリー、および
−  第二のマイクロカプセルスラリー
を含有し、第一のマイクロカプセルスラリーに含まれているマイクロカプセルと、第二のマイクロカプセルスラリーに含まれているマイクロカプセルとは、その疎水性材料および／または壁材料および／またはコーティング材料および／または鉱物質層が異なっている、マイクロカプセル送達システムである。
【０１６８】
非限定的な例として、本発明の第二のマイクロカプセルスラリーからのマイクロカプセルのポリマーシェルの性質は、異なっていてもよい。非限定的な例として、第二のマイクロカプセルスラリーのシェルは、アミノプラストベース、ポリ尿素ベースまたはポリウレタンベースであってよい。第二のマイクロカプセルスラリーのシェルは、ハイブリッド、つまり有機−無機のシェル、たとえば架橋した少なくとも２種類の無機粒子から構成されるハイブリッドシェルであるか、またはポリアルコキシシランマクロモノマー組成物の加水分解および縮合反応から得られたシェルであってもよい。
【０１６９】
１実施態様によれば、第二のマイクロカプセルスラリーのシェルは、アミノプラストコポリマー、たとえばメラミン−ホルムアルデヒドまたは尿素−ホルムアルデヒドまたは架橋したメラミンホルムアルデヒドもしくはメラミングリオキサールを含む。
【０１７０】
もう１つの実施態様によれば、第二のマイクロカプセルスラリーのシェルは、たとえばイソシアネート系モノマーおよびアミン含有架橋剤、たとえばグアニジンカーボネートおよび／またはグアナゾールから得られるポリ尿素系であってもよいが、これらに限定されるものではない。好ましいポリ尿素マイクロカプセルは、少なくとも２個のイソシアネート官能基を有する少なくとも１種類のポリイソシアネートと、アミン（たとえば水溶性グアニジン塩およびグアニジン）からなる群から選択される少なくとも１種類の反応体との重合の反応生成物であるポリ尿素壁、コロイド状安定剤または乳化剤、およびカプセル封入された香料を含む。しかし、アミンの使用は省略することができる。
【０１７１】
特定の１実施態様によれば、コロイド状安定剤は、ポリビニルアルコール０．１％〜０．４％、ビニルピロリドンの、および四級化ビニルイミダゾールのカチオン性コポリマー０．６％〜１％の水溶液を含有する（全てのパーセンテージは、コロイド状安定剤の全質量に対する質量によって定義される）。もう１つの実施態様によれば、乳化剤は、好ましくはアラビアゴム、ダイズタンパク、ゼラチン、カゼイン酸ナトリウムおよびこれらの混合物からなる群から選択されるアニオン性もしくは両親媒性バイオポリマーである。
【０１７２】
もう１つの実施態様によれば、第二のマイクロカプセルスラリーのシェルは、たとえばポリイソシアネートおよびポリオール、ポリアミド、ポリエステル等から構成されるポリウレタン系であるが、これらに限定されるものではない。
【０１７３】
コア・シェル型マイクロカプセルの水性分散液／スラリーの製造は当業者に周知である。１つの態様では、前記マイクロカプセル壁材料は、任意の適切な樹脂を含んでいてもよく、特にメラミン、グリオキサール、ポリ尿素、ポリウレタン、ポリアミド、ポリエステル等を含んでいる。適切な樹脂は、アルデヒドとアミンとの反応生成物を含有し、適切なアルデヒドは、ホルムアルデヒドおよびグリオキサールを含む。適切なアミンは、メラミン、尿素、ベンゾグアナミン、グリコールウリル、およびこれらの混合物を含む。適切なメラミンは、メチロールメラミン、メチル化メチロールメラミン、イミノメラミン、およびこれらの混合物を含む。適切な尿素は、ジメチロール尿素、メチル化ジメチロール尿素、尿素−レゾルシノール、およびこれらの混合物を含む。製造のために適切な材料は、以下の企業の１社以上から入手することができる：Solutia Inc. (St Louis, Missouri U.S.A.), Cytec Industries (West Paterson, New Jersey U.S.A.), Sigma-Aldrich (St. Louis, Missouri U.S.A.)。
【０１７４】
特定の１実施態様によれば、第二のコア・シェル型マイクロカプセルは、ホルムアルデヒド不含のカプセルである。アミノプラストホルムアルデヒド不含のマイクロカプセルスラリーを製造するための一般的な方法は、以下のステップを含む：
１）オリゴマー組成物を製造するステップであって、前記オリゴマー組成物は、
ａ）メラミン、またはメラミンと、２個のＮＨ２官能基を有する少なくとも１つのＣ１〜Ｃ４化合物との混合物の形のポリアミン成分と、
ｂ）グリオキサール、Ｃ４〜Ｃ６の２，２−ジアルコキシ−エタナール、および任意でグリオキサレートの混合物の形のアルデヒド成分であって、前記混合物は、１／１〜１０／１に含まれる、グリオキサール／Ｃ４〜Ｃ６の２，２−ジアルコキシ−エタナールのモル比を有するもの、および
ｃ）プロトン酸触媒
の反応生成物であるか、または上記成分を反応させることにより得られるものを含有し、
２）液滴サイズが、１〜６００μｍに含まれる水中油型分散液を製造するステップであって、前記分散液は、
ｉ．オイル、
ｉｉ．水性媒体、
ｉｉｉ．ステップ１）で得られた、少なくとも１つのオリゴマー組成物、
ｉｖ．以下から選択される少なくとも１つの架橋剤：
Ａ）Ｃ４〜Ｃ１２芳香族もしくは脂肪族のジイソシアネートもしくはトリイソシアネート、およびそのビウレット、トリウレット、三量体、トリメチロールプロパン付加物、およびその混合物、および／または
Ｂ）式
Ａ−（オキシラン−２−イルメチル）ｎ
（式中、ｎは、２または３を表し、かつＡは、任意で２〜６個の窒素原子および／または酸素原子を有するＣ２〜Ｃ６基を表す）のジオキシランまたはトリオキシラン化合物、
ｖ．任意で２個のＮＨ２官能基を有するＣ１〜Ｃ４化合物
を含有しており、
３）前記分散液を加熱するステップ、
４）前記分散液を冷却するステップ。
【０１７５】
この方法は、国際公開第２０１３／０６８２５５号に、より詳細に記載されており、その内容をここで引用することにより本願に取り入れる。
【０１７６】
もう１つの実施態様によれば、第二のマイクロカプセルスラリーのシェルは、ポリ尿素系またはポリウレタン系である。ポリ尿素系マイクロカプセルおよびポリウレタン系マイクロカプセルを製造するための方法の例は、たとえば国際公開第２００７／００４１６６号、欧州特許出願公開第２３００１４６号明細書、欧州特許出願公開第２５７９９７６号明細書に記載されており、これらの内容もここで引用することにより本願に取り入れる。一般に、ポリ尿素系マイクロカプセルおよびポリウレタン系マイクロカプセルの製造方法は、以下のステップを含む：
ａ）少なくとも２個のイソシアネート基を有する少なくとも１種類のポリイソシアネートを油中に溶解させて、油相を形成するステップ、
ｂ）乳化剤またはコロイド状安定剤の水溶液を製造して、水相を形成するステップ、
ｃ）油相を水相に添加して、平均液滴サイズが１〜５００μｍ、好ましくは５〜５０μｍに含まれる水中油型分散液を形成するステップ、
ｄ）界面重合を誘発するために十分な条件を適用し、かつスラリーの形のマイクロカプセルを形成するステップ。
【０１７７】
マイクロカプセル粉末を製造する方法
本発明のもう１つの対象は、上記のとおりのステップ、およびステップ（ｉｖ）または（ｖｉ）で得られたマイクロカプセルスラリーを乾燥、たとえば噴霧乾燥に供して、マイクロカプセル自体、つまり粉末状のマイクロカプセルを製造する追加のステップを有するマイクロカプセル粉末の製造方法である。そのような乾燥を行うためには、当業者に公知の任意の標準的な方法を適用することができると理解される。特にスラリーは、好ましくはポリマー担持材料、たとえばポリビニルアセテート、ポリビニルアルコール、デキストリン、天然デンプンもしくは変性デンプン、アラビアゴム、植物性ゴム、ペクチン、キサンタン、アルギン酸塩、カラギーナンまたはセルロース誘導体の存在下で噴霧乾燥することで、粉末形のマイクロカプセルが得られる。
【０１７８】
特定の１実施態様によれば、担持材料は、カプセル封入されていない香料オイルを含有し、前記香料オイルは、マイクロカプセルのコアの香料と同じであってもよいし、異なっていてもよい。
【０１７９】
マイクロカプセルスラリー／マイクロカプセル粉末
上記の方法によって得られるマイクロカプセルスラリーおよびマイクロカプセル粉末もまた、本発明の対象である。
【０１８０】
本発明のもう１つの対象は、
−  オイルベースのコア、
−  任意で重合した多官能価モノマーから製造された内側のシェル、
−  タンパク質を含有し、少なくとも１種類のタンパク質は架橋しているバイオポリマーシェル、および
−  任意で少なくとも１種類の外側の鉱物質層
から構成される、少なくとも１種類のマイクロカプセルを含有するコア・シェル型マイクロカプセルスラリーである。
【０１８１】
マイクロカプセルスラリーを製造する方法に関する前記の実施態様はすべて、上記のマイクロカプセルスラリーに該当する。
【０１８２】
疎水性材料、タンパク質、多官能価モノマー、外側の鉱物質層の定義は、上記のものと同じである。
【０１８３】
本発明によれば、オイルベースのコアは、上記のとおりの疎水性材料を含有する。
【０１８４】
１実施態様によれば、鉱物質層は、酸化鉄、オキシ水酸化鉄、酸化チタン、酸化亜鉛、炭酸カルシウム、リン酸カルシウム、およびこれらの混合物からなる群から選択される材料を含む。鉱物質層は、好ましくは酸化鉄、オキシ水酸化鉄、またはリン酸カルシウムもしくは炭酸カルシウムである。全ての結晶質鉱物、非晶質鉱物および鉱物多形体（たとえばリン酸カルシウムに関してヒドロキシアパタイト、および炭酸カルシウムに関して方解石、バテライト、およびアラゴナイト）が含まれる。
【０１８５】
特定の１実施態様によれば、鉱物質層は、オキシ水酸化鉄の針鉄鉱（α−ＦｅＯ（ＯＨ））である。
【０１８６】
１実施態様によれば、鉱物質層は、リン酸カルシウムである。
【０１８７】
１実施態様によれば、鉱物質層は、炭酸カルシウムである。
【０１８８】
１実施態様によれば、リン酸カルシウムおよび炭酸カルシウムを含有する複数の鉱物質層が存在する。
【０１８９】
特定の１実施態様によれば、マイクロカプセルは、バイオポリマーシェルおよび／または任意の鉱物質層の上に、上記のとおりの外側コーティングを有する。
【０１９０】
１実施態様によれば、タンパク質は、ミルクプロテイン、カゼイン酸塩、たとえばカゼイン酸ナトリウムもしくはカゼイン酸カルシウム、カゼイン、ホエイプロテイン、タンパク加水分解物、ゼラチン、グルテン、ピープロテイン、ソイプロテイン、シルクプロテイン、およびこれらの混合物からなる群から選択される。
【０１９１】
１実施態様によれば、バイオポリマー中に含まれているタンパク質は、架橋したタンパク質からなる。
【０１９２】
１実施態様によれば、タンパク質は、カゼイン酸ナトリウム、好ましくは架橋したカゼイン酸ナトリウムを含む。
【０１９３】
１実施態様によれば、タンパク質は、カゼイン酸ナトリウムおよび球状タンパク質を含み、好ましくは、これらはホエイプロテイン、β−ラクトグロブリン、オバルブミン、ウシ血清アルブミン、植物性タンパク質、およびこれらの混合物からなる群から選択される。
【０１９４】
タンパク質は好ましくは、カゼイン酸ナトリウムとホエイプロテインとの混合物である。
【０１９５】
１実施態様によれば、バイオポリマーシェルは、カゼイン酸ナトリウムおよび／またはホエイプロテインからなる群から選択される、架橋したタンパク質を含む。
【０１９６】
特定の１実施態様によれば、マイクロカプセルスラリーは、
オイルベースのコア、好ましくは香料オイルを含むオイルベースのコア、
重合された多官能価モノマーから構成された内側のシェル、好ましくは少なくとも２個のイソシアネート官能基を有するポリイソシアネートから構成された内側のシェル、
タンパク質を含有し、少なくとも１つのタンパク質が架橋されているバイオポリマーシェルであり、前記タンパク質が、好ましくはカゼイン酸ナトリウムと球状プロテイン、好ましくはホエイプロテインとを含む混合物を含むものである、および
任意で、少なくとも１つの外側の鉱物質層
から構成されている、少なくとも１種類のマイクロカプセルを含む。
【０１９７】
１実施態様によれば、カゼイン酸ナトリウムおよび／またはホエイプロテインは、架橋したタンパク質である。
【０１９８】
カゼイン酸ナトリウムとホエイプロテインとの間の質量比は、好ましくは０．０１〜１００、好ましくは０．１〜１０、さらに好ましくは０．２〜５の間に含まれる。
【０１９９】
もう１つの実施態様によれば、マイクロカプセルスラリーは、
オイルベースのコア、好ましくは香料オイルを含むオイルベースのコア、
タンパク質を含有し、少なくとも１つのタンパク質は架橋されているバイオポリマーシェルであり、前記タンパク質が、好ましくはカゼイン酸ナトリウムとホエイプロテインとの混合物であり、および
任意で、少なくとも１つの外側の鉱物質層
から構成されており、シェルがポリイソシアネートを含有していない、好ましくは重合した多官能価モノマーを含有していない、少なくとも１種類のマイクロカプセルを含有する。
【０２００】
バイオポリマーシェルは、上記のとおりの塩および架橋剤を含有していてもよい。
【０２０１】
理想的な状況は、送達性能が極めて高いことと組み合わせて、マイクロカプセルが極めて高い安定性を有している場合である、つまり適用において活性成分の漏出が極めて低い場合、たとえば摩擦前および摩擦後の適用における香料の場合には香料産業であるものの、適用に応じて様々なシナリオが非常に興味深いことも考えられ、匂いの性能が高く、安定性が若干低いカプセルが非常に有用であり、また匂いの性能が若干低く、安定性が高いものも同様であることを言及しておかなくてはならない。当業者であれば、適用におけるニーズに応じて最善のバランスを選択することができるであろう。
【０２０２】
消費者製品
本発明のマイクロカプセルは、活性成分と組み合わせて使用することができる。従って、本発明の対象は、
（ｉ）上記のとおりのマイクロカプセル、
（ｉｉ）活性成分、好ましくは化粧用成分、スキンケア成分、香料成分、フレーバー成分、悪臭防止成分、殺菌成分、殺真菌成分、医薬成分もしくは農薬成分、消毒成分、昆虫忌避剤もしくは昆虫誘引剤、およびこれらの混合物からなる群から選択される活性成分
を含有する組成物である。
【０２０３】
本発明のマイクロカプセルは、付香用もしくはフレーバー付け用組成物を製造するために使用することができ、前記の組成物もまた、本発明の対象である。
【０２０４】
付香された消費者製品
本発明のマイクロカプセルは、様々な付香された消費者製品に添加することもできる。
【０２０５】
特に、（ｉ）上記のとおりのマイクロカプセル、（ｉｉ）少なくとも１種の付香用補助成分、および（ｉｉｉ）任意で香料用助剤、を含む付香用組成物は、本発明のもう１つの対象である。
【０２０６】
「付香用補助成分」とはここでは、付香用の調製物もしくは組成物において、心地よい効果を付与するために使用される化合物であって、上記のマイクロカプセルではないものを意味する。換言すれば、このような補助成分は、付香用のものであると考えられ、組成物に肯定的な、もしくは快い匂いを付与するか、または組成物の匂いを肯定的に、もしくは快いものに変性することができると当業者が認識することができる成分でなくてはならず、単に匂いを有するにすぎない成分ではない。付香用組成物中に存在する付香用補助成分の性質および種類は、ここでより詳細な記載を保証するものではなく、そのような記載はいずれにしても網羅的なものにはならず、当業者であれば、自身の一般的な知識に基づいて、かつ意図する使用もしくは適用と、所望される嗅覚的効果に応じて選択することができるであろう。一般的には、これらの付香用補助成分は、アルコール、ラクトン、アルデヒド、ケトン、エステル、エーテル、アセテート、ニトリル、テルペノイド、窒素もしくは硫黄を有する複素環化合物および精油といった様々な化学クラスに属するものであり、前記の付香用補助成分は、天然由来であっても、合成に由来するものであってもよい。これらの補助成分の多くは、いずれにしても、S. Arctanderの著書であるPerfume and Flavor Chemicals, 1969, Montclair, New Jersey, USAといった参考文献もしくはその最新版に列挙されているか、または同様の性質のその他の文献、ならびに香料分野における数多くの特許文献に記載されている。前記の補助成分は、様々なタイプの付香用化合物を制御された方法で放出することで知られている化合物であってもよいと理解される。
【０２０７】
「香料助剤」とはここでは、付加的な利益、たとえば色、特定の光に対する耐性、化学的安定性等を付与することができる成分であると理解する。付香ベースにおいて一般的に使用される助剤の性質および種類の詳細な記載は網羅的なものにはなりえないが、前記成分は、当業者に周知であることを言及しておかなくてはならない。
【０２０８】
好ましくは、本発明による付香用組成物は、上記のとおりのマイクロカプセルを０．１〜３０質量％含む。
【０２０９】
本発明によるマイクロカプセルは、多くの適用分野において有利に使用することができ、また消費者製品において使用される。マイクロカプセルは、液状の消費者製品に適用することができる液状の形でも、粉末状の消費者製品に適用することができる粉末の形でも使用することができる。
【０２１０】
香料オイルベースのコアを含むマイクロカプセルの場合、本発明の製品は、特に付香された消費者製品、たとえばファインフレグランスまたは「機能性」香料に属する製品において使用することができる。機能性香料は、特に、ヘアケア、ボディ洗浄、スキンケア、衛生ケアならびにランドリーケアおよびエアケアを含むホームケア製品を含んだパーソナルケア製品を含む。従って、本発明のもう１つの対象は、付香用成分、上記のとおりのマイクロカプセルまたは上記のとおりの付香用組成物を含有する付香された消費者製品である。前記の消費者製品の香料要素は、上記のとおりの香料マイクロカプセルと、カプセル封入されていない香料ならびにここに開示したマイクロカプセルとは異なるタイプの香料マイクロカプセルとの組合せであってもよい。
【０２１１】
特に、液状の消費者製品は
−  消費者製品の全質量に対して、２〜６５質量％の少なくとも１種類の界面活性剤、
−  水または水と混和可能な親水性有機溶剤、および
−  上記のとおりの付香用組成物またはマイクロカプセル（なお、香料を含む活性成分は、本発明のもう１つの対象である）
を含む。
【０２１２】
また、粉末状の消費者製品は、
−  消費者製品の全質量に対して、２〜６５質量％の少なくとも１種の界面活性剤、および
−  付香用組成物またはマイクロカプセル（なお、上記のとおりの香料を含有する活性成分は、本発明の一部である）
を含む。
【０２１３】
特定の１実施態様によれば、付香された消費者製品に含まれているマイクロカプセルを製造する方法は、多量の界面活性剤を含有する難しいベースにおける安定性を改善するために油相にポリイソシアネートを添加することを含む。
【０２１４】
従って、本発明によるマイクロカプセルはそのままで、または本発明による付香用組成物の一部として、付香された消費者製品に添加することができる。
【０２１５】
明確性を考慮して、「付香された消費者製品」とは、様々な利益の中でも、その製品が適用される表面（たとえば皮膚、毛髪、テキスタイル、紙または家庭における表面）または空気（エアフレッシュナー、脱臭剤等）に、付香効果をもたらすことが期待されている消費者製品を意味することに言及しておかなくてはならない。換言すれば、本発明による付香された消費者製品は、利益をもたらす剤中でも本発明によるマイクロカプセルの有効量と一緒に「ベース」とも呼ばれる機能的な配合物を含む、製造された製品である。
【０２１６】
付香された消費者製品のその他の成分の性質および種類は、ここでより詳細な記載を保証するものではないが、そのような記載はいずれにしても網羅的なものにはならず、当業者であれば、自身の一般的な知識に基づいて、かつ前記製品の性質および所望される効果に従って選択することができるであろうであろう。本発明のマイクロカプセルを配合することができる消費者製品のベース配合物は、そのような製品に関する数多くの文献に見出すことができる。これらの配合物は、ここでは詳細な記載を保証するものではなく、そのような記載はいずれにしても網羅的なものにはならないであろう。そのような消費者製品を配合する当業者であれば、自身の一般的な知識と、入手可能な文献とに基づいて、適切な成分を好ましく選択することができるであろう。
【０２１７】
適切な付香された消費者製品の非限定的な例は、香料、たとえばファインパフューマリー、コロン、アフターシェーブローション、ボディスプラッシュ、繊維ケア製品、たとえば液体洗剤もしくは固形洗剤、タブレットおよびポッド、繊維柔軟剤、乾燥機用シート、繊維リフレッシュ剤、アイロン水、または漂白剤、パーソナルケア製品、たとえばヘアケア製品（たとえばシャンプー、ヘアコンディショナー、染毛用調製物またはヘアスプレー）、化粧用調製物（たとえばバニシングクリーム、ボディローション、またはデオドラント剤もしくは制汗剤）、またはスキンケア製品（たとえば付香された石けん、シャワー用もしくはバス用のムース、ボディウォッシュ、オイルもしくはジェル、バスソルト、または衛生用品）、エアケア製品、たとえばエアフレッシュナー、または「即時使用可能な」粉末状エアフレッシュナー、またはホームケア製品、たとえば多目的クリーナー、液状もしくは粉末状もしくはタブレット形の食器洗浄用製品、トイレ洗浄剤、または様々な表面を洗浄するための製品、たとえばテキスタイルまたは硬質表面（床、タイル、石張りの床等）の処理／リフレッシュを意図したスプレーおよびワイプ、衛生用品、たとえば生理用ナプキン、おむつ、トイレットペーパーであってよい。
【０２１８】
本発明のもう１つの対象は、
−  パーソナルケア活性ベースおよび
−  上記のとおりのマイクロカプセルまたは上記のとおりの付香用組成物
を含み、パーソナルケア組成物の形である消費者製品である。
【０２１９】
本発明のマイクロカプセルを配合することができるパーソナルケア活性ベースは、そのような製品に関する数多くの文献に見出すことができる。これらの配合物は、ここでは詳細な記載を保証するものではなく、そのような記載はいずれにしても網羅的なものにはならないであろう。そのような消費者製品を配合する当業者であれば、自身の一般的な知識と、入手可能な文献とに基づいて、適切な成分を好ましく選択することができるであろう。
【０２２０】
パーソナルケア組成物は好ましくは、ヘアケア製品（たとえばシャンプー、ヘアコンディショナー、染毛用調製物またはヘアスプレー）、化粧用調製物（たとえばバニシングクリーム、ボディローション、またはデオドラント剤もしくは制汗剤）、またはスキンケア製品（たとえば付香された石けん、シャワー用もしくはバス用のムース、ボディウォッシュ、オイルもしくはジェル、バスソルト、または衛生用品）、またはファインフレグランス製品（たとえばオードトワレ、ＥｄＴ）からなる群から選択される。
【０２２１】
本発明のもう１つの対象は、
−  ホームケアもしくは繊維ケア用の活性ベースおよび
−  上記のとおりのマイクロカプセルまたは上記のとおりの付香用組成物
を含み、ホームケアもしくは繊維ケア組成物の形である消費者製品である。
【０２２２】
本発明のマイクロカプセルを配合することができるホームケアもしくは繊維ケア用ベースは、そのような製品に関する数多くの文献において見出すことができる。これらの配合物は、ここで詳細な記載を保証するものではなく、そのような記載はいずれにしても包括的なものにはならないだろう。そのような消費者製品を配合する当業者であれば、自身の知識と、入手可能な文献とに基づいて、適切な組成物を好ましく選択することができるであろう。ホームケアもしくは繊維ケア用の組成物は好ましくは、繊維柔軟剤、液体洗剤、粉末洗剤、液状の匂いブースター、固形の匂いブースターからなる群から選択される。
【０２２３】
特定の１実施態様によれば、消費者製品は、繊維柔軟剤組成物の形であり、
−  ８５〜９９．８％の繊維柔軟剤活性ベース
−  ０．１〜１５質量％、より好ましくは０．２〜５質量％の本発明のマイクロカプセルスラリー
を含む。
【０２２４】
繊維柔軟剤活性ベースは、第四級アンモニウムのカチオン性界面活性剤、たとえばジエチルエステルジメチルアンモニウムクロリド（ＤＥＥＤＭＡＣ）、ＴＥＡＱ（トリエタノールアミンクォート）、ＨＥＱ（ハンブルクエステルクォート）を含有していてもよい。
【０２２５】
特定の１実施態様によれば、消費者製品は、付香用組成物の全質量に対して、
−  ０．１〜２０％の上記のとおりのマイクロカプセル、
−  ０〜４０％、好ましくは３〜４０％の香料、および
−  ２０〜９０質量％、好ましくは４０〜９０質量％のエタノール
を含有する付香用組成物の形である。
【０２２６】
消費者製品は好ましくは、０．１〜１５質量％、より好ましくは０．２〜５質量％の本発明のマイクロカプセルを含有する（なお、これらのパーセンテージは、消費者製品の全質量に対する質量によって定義される）。当然のことながら、上記の濃度は、それぞれの製品において望まれている有利な効果に応じて調整することができる。
【０２２７】
フレーバー付けされた消費者製品
本発明のマイクロカプセルは、フレーバーをカプセル内に封入して含んでいるものである場合、多様な食用の最終製品において使用することができる。本発明のマイクロカプセルによりフレーバー付けされる消費者製品は、食品、飲料、医薬品等を含んでいてもよい。たとえば本発明のマイクロカプセルスラリーまたは粉末状のマイクロカプセルを使用することができる食品ベースは、
・ベーカリー製品（たとえばパン、ビスケット、ケーキ、その他のベーカリー製品）、
・非アルコール飲料（たとえば炭酸飲料、ボトル詰めされた水、スポーツドリンク／エナジードリンク、果汁飲料、野菜ジュース、野菜ジュース調合飲料）、
・アルコール飲料（たとえばビールおよびモルト飲料、スピリッツ飲料）、
・インスタント飲料（たとえばインスタント野菜飲料、粉末状ソフトドリンク、インスタントコーヒーおよびインスタントティー）、
・シリアル製品（たとえば朝食用シリアル、事前に調理された調理加工済みコメ製品、米粉製品、雑穀およびモロコシ製品、生もしくは調理加工済みの麺およびパスタ製品）、
・乳製品（たとえばフレッシュチーズ、ソフトチーズ、ハードチーズ、乳飲料、ホエイ、バター、ミルクプロテインの部分加水分解物もしくは完全に加水分解されたミルクプロテインを含む製品、発酵乳製品、コンデンスミルク等）、
・乳ベースの製品（たとえばフルーツヨーグルトもしくはフレーバー付けされたヨーグルト、アイスクリーム、フルーツアイス）
・糖菓製品（たとえばチューイングガム、ハードキャンディおよびソフトキャンディ）、
・チョコレートおよびコンパウンドコーティング、
・油脂もしくは油脂エマルションをベースとする製品（たとえばマヨネーズ、スプレッド、マーガリン、ショートニング、レムラード、ドレッシング、スパイス調合物）、
・スパイスを添加した、マリネした、または加工した魚製品（たとえば魚肉ソーセージ、すり身）、
・卵または卵製品（乾燥卵、卵白、卵黄、カスタード）、
・デザート（たとえばゼラチンおよびプリン）、
・ソイプロテインまたはその他のダイズ成分から製造された製品（たとえば豆乳および豆乳から製造された製品、ダイズレシチン含有調製物、発酵製品、たとえば豆腐またはテンペまたはこれらから製造された製品、醤油）、
・野菜調製物（たとえばケチャップ、ソース、加工され、かつ再構築された野菜、乾燥野菜、冷凍野菜、事前に調理された野菜、野菜のピクルスもしくは酢漬け、野菜濃縮物もしくはペースト、調理済み野菜、ジャガイモ調製物）、
・ベジタリアン用代用肉、ベジタリアン用バーガー、
・スパイスまたはスパイス調製物（たとえばマスタード調製物、ホースラディッシュ調製物）、スパイス混合物、および特に、たとえばスナック分野で使用されるシーズニング、
・スナック製品（たとえばベークドポテトまたはフライドポテトチップ、またはジャガイモ生地製品、パン生地製品、トウモロコシ、コメ、または粉砕したナッツをベースとする押出成形品）、
・肉製品（たとえば加工肉、鶏肉、牛肉、豚肉、ハム、生ソーセージまたは生肉調製物、スパイスした、もしくはマリネした生肉、または塩漬け肉、成形肉）、
・調理加工済み料理（たとえばインスタント麺、コメ、パスタ、ピザ、トルティージャ、ラップ）およびスープおよびブイヨン（たとえばストック、セイボリーキューブ、乾燥スープ、インスタントスープ、調理加工済みのスープ、レトルトスープ）、ソース（インスタントソール、乾燥ソース、調理加工済みソース、グレイビー、スイートソース）、
・口腔ケア製品（練り歯磨き、歯磨き粉、フレーバー付けされたデンタルフロス、マウスウォッシュ…）
を含む。
【０２２８】
好ましくは、本発明のマイクロカプセルは、ベーカリー製品、インスタント飲料、シリアル製品、乳製品、乳ベース製品、油脂または油脂エマルションベースの製品、デザート、野菜調製物、ベジタリアン用代用肉、スパイスおよびシーズニング、スナック、肉製品、調理加工済み料理、スープおよびブイヨン、およびソースからなる群から選択された製品において使用されるべきである。
【０２２９】
ところで、実施例を用いて本発明を詳細に記載する。これらの実施例によって特許請求の範囲に記載した発明を何ら限定することを意図したものではないことを認識されたい。
【実施例】
【０２３０】
例１
本発明の方法によるマイクロカプセルの製造（鉱物質層として炭酸カルシウム）
以下のプロトコルに従ってマイクロカプセルＡ〜Ｄを製造した。
１）カゼイン酸ナトリウムを室温（ＲＴ）で脱イオン水（ＤＩ）中に溶解、
２）塩化カルシウム（水溶液）をカゼイン酸ナトリウム溶液に徐々に添加し、ＲＴで１５分まで撹拌、
３）ポリイソシアネート（Takenate（Ｒ） D-110N）を含有する香料オイル（第１表を参照）と乳化剤溶液とを合し、均質化（１８，０００ｒｐｍで３分間）、
４）次いで乳化剤を反応器に移し、ｐＨを６．５ｗ／ＮａＯＨ以下になるまで調整し、４５℃になるまで加熱、
５）反応器にトランスグルタミナーゼ（水溶液）を添加し、４５℃で３時間撹拌、
６）次いで反応器を７０℃になるまで加熱し、３０分間維持し、次いでＲＴまで冷却。
【０２３１】
若干のマイクロカプセルは、さらに、以下のプロトコルに従って、Ｎａ２ＣＯ３／ＣａＣｌ２をそれぞれ添加することにより、炭酸カルシウム（ＣａＣＯ３）によって鉱質化する。
１）マイクロカプセルスラリー２０ｇをＤＩ  １８０ｇに添加し、室温で撹拌（２５０ｒｐｍ、２５℃）、
２）０．１ＭのＮａ２ＣＯ３  １３．６ｍＬを１時間にわたってゆっくり添加し（０．２３ｍＬ／分）、次いで１時間にわたって撹拌、
３）０．１ＭのＣａＣｌ２  １３．６ｍＬを１時間にわたってゆっくり添加し（０．２３ｍＬ／分）、次いで１時間にわたって撹拌、
４）Ｎａ２ＣＯ３およびＣａＣｌ２の添加を複数回反復（合計で４サイクル）。
【０２３２】
【表３】
2021528223.tif 000009
１）Firmenich社の商標名、ペンタデセノリド、入手元：スイス国ジュネーブ在、Firmenich SA社、
２）Firmenich社の商標名、メチル−シス−３−オキソ−２−ペンチル−１−シクロペンタンアセテート、入手元：スイス国ジュネーブ在、Firmenich SA社、
３）IFF社の商標名、７−アセチル−１，２，３，４，５，６，７，８−オクタヒドロ−１，１，６，７−テトラメチルナフタレン、
４）Givaudan社の商標名、３−（４−ｔｅｒｔ−ブチルフェニル）−２−メチルプロパナール。
【０２３３】
【表４】
2021528223.tif 000010
１）Ramsen Food and Dairy Products LLC社、
２）第１表を参照、
３）キシリレンジイソシアネートのトリメチロールプロパン付加物、入手元：日本国在、三井化学株式会社、
４）Activa TI(R)、入手元：味の素社。
【０２３４】
例２
本発明の方法によるマイクロカプセルの製造（鉱物質層としてリン酸カルシウム）
例１と同じプロトコルを使用してマイクロカプセルを製造したが、ただしバイオミネラリゼーションステップは、以下のステップを含む。
１）マイクロカプセルスラリー１５ｇを、ＮＨ４ＯＨ／ＮＨ４Ｃｌ緩衝溶液（ｐＨ９）に添加し、室温で撹拌（２５０ｒｐｍ、２５℃）
２）０．１８Ｍの二塩基性リン酸ナトリウム（Ｎａ２ＨＰＯ４）１７ｍＬを１時間にわたって添加（２８３μＬ／分）、
３）１時間撹拌、
４）０．３Ｍの硝酸カルシウム（Ｃａ（ＮＯ３）２）７．５ｍＬおよび０．１８Ｍのリン酸ナトリウム７．５ｍＬを、１時間にわたって同時に添加（それぞれ１２５μＬ／分）、
５）１時間撹拌、
６）０．３Ｍの硝酸カルシウム（Ｃａ（ＮＯ３）２）３０ｍＬおよび０．１８Ｍのリン酸ナトリウム３０ｍＬを、１時間にわたって同時に添加（それぞれ５００μＬ／分）、
７）１時間撹拌、
８）ステップ６）〜７）を再度反復。
【０２３５】
例３
シャワージェル組成物の安定性に関する性能
【表５】
2021528223.tif 000011
１）ＥＤＴＡ四ナトリム、入手元：BASF社、
２）アクリレートコポリマー、入手元：Noveon社、
３）Ｃ１２〜Ｃ１５パレス硫酸ナトリウム、入手元：Zschimmer & Schwarz社、
４）メチルクロロイソチアゾリノンおよびメチルイソチアゾリノン、入手元：Rohm & Haas社。
【０２３６】
シャワージェルベースの製造
ビーカーに、脱イオン水を添加し、次いで撹拌下にＥＤＥＴＡ  Ｂ粉末を添加する。carbopol aqua SF-1ポリマーおよびZetesol AO 328 Uを反応混合物に添加する。水酸化ナトリウム溶液によりｐＨを調整する。Tego(R) Betain F 50、the Kathon CGおよびクエン酸溶液を添加して、シャワージェルベースが得られる（ｐＨ＝６．０〜６．３、粘度：５０００〜６０００ｃＰｓ、ＬＶスピンドル３、スピード１２）。
【０２３７】
本発明のカプセルを第３表に記載のシャワージェルベース中に分散させて、カプセル封入された香料オイル０．２０％の濃度が得られた。次いでサンプルを３７℃で１週間老化させて、促進安定性評価に用いた。
【０２３８】
安定性評価のプロトコル
サンプル１ｇを２０ｍｌのヘッドスペースバイアルに秤量し、セプタムで密閉する。サンプルを６５℃で１０分間、平衡化させる。ＳＰＭＥファイバーを６５℃で２０分間、蒸気相に曝露する。ＳＰＭＥファイバーを２５０℃で５分間、標準ＧＣインジェクタ（スプリットレス）中へ脱着させる。次いで成分をAgilent GCMS（5977B  MSD、7890B  GC)またはその等価物により分析した。全てのサンプルを、１００％のリーケージに相応する、カプセル封入されていないオイルの参照コントロールと対比した。
【０２３９】
結果
結果は図１に示されている。
【０２４０】
これらの結果から、ポリイソシアネートの量が限定的であっても、本発明のマイクロカプセルは顕著なカプセル封入およびフレグランスの安定化を示すことを結論付けることができる。カプセルは、苛酷で複雑な適用配合物中、３７℃で１週間のインキュベーションの後でも著量のオイルを保持しており、このことは、比較的長期間にわたる安定性および性能の促進安定性試験の指標となる。安定性の結果は、シャワージェル中のカプセル封入されていない香料オイルに対応する含有量に対してプロットされている。
【０２４１】
例４
繊維柔軟剤組成物中の安定性に関する性能
本発明のカプセルを、第４表に記載の繊維柔軟剤ベース中に分散させて、カプセル封入された香料オイル０．２０％の濃度が得られ、３７℃に高めた温度で１週間後に安定性を評価した。
【０２４２】
【表６】
2021528223.tif 000012
【０２４３】
これらの結果は、図２に示されている。
【０２４４】
それらの結果から、ポリイソシアネートの量が限定的であっても、本発明のマイクロカプセルは顕著なカプセル封入およびフレグランスの安定性を示すことを結論付けることができる。カプセルは、苛酷で複雑な適用配合物中、３７℃で１週間のインキュベーションの後でも著量のオイルを保持しており、このことは、比較的長期間にわたる安定性および性能の促進安定性試験の指標となる。安定性の結果は、繊維柔軟剤中のカプセル封入されていない香料オイルに対応する含有量に対してプロットされている。
【０２４５】
例５
繊維柔軟剤組成物中での嗅覚的性能
３インチ×５インチの吸取紙の表面に、製品（カプセル封入されたオイル０．２％を含有し、３７℃で２週間老化させた繊維柔軟剤）０．１５ｇを均一に適用した。吸取紙を評価する前に、空気中で２４時間乾燥させた。フレグランス強度を最初（摩擦前）に評価し、次いで吸取紙を３回摩擦した後（摩擦後）に再度評価した。
【０２４６】
評価スケール：
１＝匂いなし、２＝かろうじて知覚可能、３＝弱い、４＝中程度、５＝強い、６＝非常に強い、７＝極めて強い。
【０２４７】
結果
マイクロカプセルで処理した吸取紙の香料の知覚強度を、訓練したパネリスト１１名のパネルにより評価した。パネリスト達は、１〜７のスケールで香料の知覚強度を評価することを依頼されており、１は、匂いがしないことを意味し、７は、匂いが非常に強いことを意味する。
【０２４８】
図３からわかるように、本発明のマイクロカプセルは、摩擦後に、顕著なバースト効果およびフレグランス強度を示している。３７℃に高めた温度で２週間の適用ベース中でのカプセルスラリーの老化後であっても、低い摩擦前強度および高い嗅覚的信号は、安定性、オイル保持、および性能の良好な指標である。
【０２４９】
例６
本発明の方法によるマイクロカプセルの製造
例１に記載したプロトコルと同様のプロトコルを適用して、下記の第６表に記載のとおりの組成を有するマイクロカプセルＥを製造した。異なった香料オイル（香料Ｂ、第５表）および異なったポリイソシアネート濃度（０．６）を使用した。
【０２５０】
【表７】
2021528223.tif 000013
１）入手元：スイス国ジュネーブ在、Firmenich SA社、
２）IFF社の商標、２−ｔｅｒｔ−ブチル−１−シクロヘキシルアセテート。
【０２５１】
例７
本発明の方法によるマイクロカプセルの製造
以下のプロトコルに従って、マイクロカプセルＦ〜Ｊを製造した。
１）カゼイン酸ナトリウムおよび／またはホエイプロテインをＲＴでＤＩ水中に溶解、
２）塩化カルシウム（水溶液）をタンパク質溶液にゆっくり添加し、ＲＴで１５分まで撹拌、
３）ポリイソシアネート（Takenate（Ｒ） D-110N）を含有する香料オイル（第５表を参照）と乳化剤溶液とを合し、かつ均質化（１０，０００ｒｐｍで２分間）、
４）次いでエマルションを反応器に移し、ｐＨを６．５ｗ／ＮａＯＨ以下に調整し、かつ４５℃になるまで加熱、
５）トランスグルタミナーゼ（水溶液）を反応器に添加し、かつ４５℃で３時間撹拌、
６）ｐＨを５．４ｗ／ＨＣｌ以下に調整し、次いで８５℃になるまで加熱、
７）反応器を８５℃で６０分間撹拌し、次いでＲＴに冷却。
【０２５２】
【表８】
2021528223.tif 000014
５）Ramsen Food and Dairy Products LLC社、
６）Agropur Dairy Cooperative社、
７）第５表を参照、
８）キシリレンジイソシアネートのトリメチロールプロパン付加物、入手元：三井化学株式会社、
９）Activa TI（Ｒ）入手元：味の素社。
【０２５３】
例８
本発明の方法によるマイクロカプセルの製造（鉱物質層としてリン酸カルシウム）
例７のプロトコルと同じプロトコルを使用してマイクロカプセルＫ〜Ｍを製造したが、ただしバイオミネラリゼーションステップは、例２のプロトコルと同じであった。
【０２５４】
【表９】
2021528223.tif 000015
１）Ramsen Food and Dairy Products LLC社、
２）Agropur Dairy Cooperative社、
３）第５表を参照、
４）キシリレンジイソシアネートのトリメチロールプロパン付加物、入手元：三井化学株式会社、
５）Activa TI（Ｒ）入手元：味の素社。
【０２５５】
例９
繊維柔軟剤組成物中での安定性に関する性能
本発明のカプセルを、第４表に記載の繊維柔軟剤ベース中に分散させて、カプセル封入された香料オイル０．２０％の濃度が得られ、３７℃に高めた温度で１ヶ月後に安定性を評価した。
【０２５６】
安定性評価のプロトコル
サンプル１ｇを２０ｍＬのシンチレーションバイアル中に秤量した。水４ｍＬを添加し、IKA  KS  １３０のオービタルシェーカーを用いて４８０ｒｐｍで５分間混合した。抽出溶剤（イソオクタン９０％／エーテル１０％、１，４−ジブロモベンゼン１５０ｐｐｍを含む）５ｍＬを添加し、IKA  KS  １３０のオービタルシェーカーを用いて４８０ｒｐｍで１５分間混合した。１５ｍＬの遠心分離管に移し、６０００ｒｃｆで６０分間回転させた。上澄みをAgilent GCMS (5977B MSD, 7890B GC)またはその等価物により分析する。全てのサンプルは、１００％のリーケージに相応する、カプセル封入されていないオイルの参照コントロールと対比される。
【０２５７】
結果は、図４に示されている。
【０２５８】
図４から、ポリイソシアネートの量が限定的であっても、本発明のマイクロカプセルは顕著なカプセル封入およびフレグランスオイルの安定性を示すことを結論付けることができる。カプセルは、苛酷で複雑な適用配合物中、３７℃で１ヶ月のインキュベーションの後でも著量のオイルを保持しており、このことは、比較的長期間にわたる安定性および性能の促進安定性試験の指標となる。安定性の結果は、繊維柔軟剤適用におけるカプセル封入されていない香料オイルに対応する含有量に対してプロットされている。さらに、これらの結果から、カゼイン酸ナトリウムとホエイプロテインとが組み合わされたマイクロカプセルＦ〜Ｈは、最善のリーケージ安定性を示すことがわかる。
【０２５９】
例１０
繊維柔軟剤組成物中での嗅覚的性能
タオル（２４枚）を、付香されていない洗剤３６ｇで洗濯し、次いでカプセルＥ、Ｆ、ＧまたはＨからのカプセル封入されたオイル（香料Ｂ）０．１１６％を含む繊維柔軟剤１５ｇで処理してから、タオルを２４時間、ライン乾燥させた。パネリスト達は、自分たちのタオルセットを評価し、フレグランス強度を、摩擦前および摩擦後に、固定された線状の標識ラインスケールでランク付けした。
評価スケール：
１＝匂いなし、２＝かろうじて知覚可能、３＝弱い、４＝中程度、５＝強い、６＝非常に強い、７＝極めて強い。
【０２６０】
結果
マイクロカプセルで処理した乾燥後のタオルにおける香料の知覚強度を、訓練したパネリスト１８名のパネルにより評価した。パネリスト達は、１〜７のスケールで香料の知覚強度を評価することを依頼されており、１は、匂いがしないことを意味し、７は、匂いが非常に強いことを意味する。
【０２６１】
図５からわかるように、本発明のマイクロカプセルは、摩擦後に、顕著なバースト効果を示している。３７℃に高めた温度で適用ベース中でのカプセルスラリーの老化後であっても、低い摩擦前強度および高い嗅覚的信号は、安定性、オイル保持、および性能の良好な指標である。
【０２６２】
例１１
噴霧乾燥カプセル
マイクロカプセルＮを、実験室規模のBuechi B-290 Mini Spray Dyer噴霧乾燥機を使用して噴霧乾燥し、圧縮空気により最大吸引速度の７０％〜９０％に設定した速度で、入口温度を２００℃に設定して吸引した。すすいで凝縮させたマイクロカプセルスラリー約５０〜２００ｇを、最大ポンプ速度の５〜１５％に設定したポンプ速度で噴霧乾燥機にポンプ輸送した。全てのスラリーをポンプでシステムへ輸送したら、噴霧乾燥機を冷却し、乾燥した粉末を回収する。
【０２６３】
例１２
カプセルの特性決定
マイクロカプセルを画像化するために、アルミニウム台紙に付着させ、次いで金／パラジウムプラズマによりスパッタコーティングしたカーボン紙上で、希釈したカプセルスラリーを乾燥させた。分析のために、台紙を走査型電子顕微鏡（JEOL 6010 PLUS LA）に設置した。鉱質化したカプセルＫ、ＮおよびＯの画像は、それぞれ、図６、図７および図８に示されており、平滑なポリ尿素マイクロカプセルを足場にして、突起のある鉱物質コーティングを成長させることで、安定した、耐久性のある、粗く鉱質化されたマイクロカプセルを生成できることがわかる。
【０２６４】
比較として、図９のカプセルＥは、平滑で変性されていない表面を有している。
【０２６５】
カプセルＮを噴霧乾燥したものは、図１０に示されている。
【０２６６】
ポリイソシアネート不含のカプセルＪは、図１１に示されている。
【０２６７】
例１３
ロールオンタイプの制汗剤組成物における嗅覚的性能
要求される用量（カプセル封入された香料オイル０．２０％に相当）でカプセルを以下の組成物に配合する。
【０２６８】
【表１０】
2021528223.tif 000016
【０２６９】
３インチ×５インチの吸取紙の表面に、製品（カプセル封入されたオイル０．２％を含有するＡＰロールオンベース）０．１５ｇを均一に適用した。評価の前に、吸取紙を空気中で２４時間乾燥させた。フレグランス強度を、最初（摩擦前）に評価し、次いで吸取紙を３回摩擦した後（摩擦後）に再度評価した。
【０２７０】
評価スケール：
１＝匂いなし、２＝かろうじて知覚可能、３＝弱い、４＝中程度、５＝強い、６＝非常に強い、７＝極めて強い。
【０２７１】
結果
マイクロカプセルで処理した乾燥後の吸取紙の香料の知覚強度を、訓練したパネリスト１４名のパネルにより評価した。パネリスト達は、１〜７のスケールで香料の知覚強度を評価することを依頼されており、１は、匂いがしないことを意味し、７は、匂いが非常に強いことを意味する。
【０２７２】
図１２からわかるように、本発明のマイクロカプセルは、摩擦後に、顕著なバースト効果を示している。低い摩擦前強度および高い嗅覚的信号は、安定性、オイル保持、および性能の良好な指標である。
【０２７３】
例１４
リーブオン・ヘアコンディショナー組成物における嗅覚的性能
【表１１】
2021528223.tif 000017
毛髪サンプルの処理および感覚的評価のプロトコル（リーブオン）
要求される用量（カプセル封入された香料オイル０．２０％に相当）で、室温で撹拌下にカプセルをリーブオンベースに配合する。清潔で乾燥した毛髪サンプル１０ｇを３７℃の温かい水道水で３０秒間濡らす。付香されていないシャンプー２．５ｇを毛髪サンプルに適用し、３０秒間泡立て、次いで毛髪サンプルの山の頂点に向けて、温かい流水（流量＝４Ｌ／分）下で３０秒間すすぐ（サンプルの片側あたり１５秒）。過剰の水を優しく搾り出す。次いで毛髪サンプルあたり、リーブオン製品１ｇを適用し、手袋をはめた手で１分間、優しくこすって毛髪サンプルに均一に分散させる。次いで毛髪サンプルをクシで梳かし、次いで乾燥棚において空気乾燥させる。次の強度スケール１〜７を使用して、専門化パネリスト達により、毛髪サンプルを２４時間後に評価する：１）知覚不可能、２）わずかに知覚可能、３）弱い、４）中程度、５）持続されている、６）強烈、７）非常に強烈。
【０２７４】
評価スケール：
１＝匂いなし、２＝かろうじて知覚可能、３＝弱い、４＝中程度、５＝強い、６＝非常に強い、７＝極めて強い。
【０２７５】
結果
マイクロカプセルで処理した乾燥後のタオルの香料の知覚強度を、訓練したパネリスト１５名のパネルにより評価した。パネリスト達は、１〜７のスケールで香料の知覚強度を評価することを依頼されており、１は、匂いがしないことを意味し、７は、匂いが非常に強いことを意味する。
【０２７６】
図１３からわかるように、本発明のマイクロカプセルは、摩擦後に、顕著なバースト効果を示している。低い摩擦前強度および高い嗅覚的信号は、安定性、オイル保持、および性能の良好な指標である。
【０２７７】
例１５
本発明のカプセルへのカチオン性コーティングの添加
マイクロカプセルＰおよびＱの製造方法は、それぞれ、マイクロカプセルＨおよびＬの製造方法に対応するが、ただし、カチオン性コポリマー、つまりアクリルアミドプロピルトリモニウムクロリド／アクリルアミドコポリマー（Salcare(R) SC60、入手元：BASF社）（水中３質量％）を添加する付加的なステップを方法の最後に実施した。
【０２７８】
【表１２】
2021528223.tif 000018
１）Ramsen Food and Dairy Products LLC社、
２）Agropur Dairy Cooperative社、
３）第５表を参照、
４）キシリレンジイソシアネートのトリメチロールプロパン付加物、入手元：三井化学株式会社、
５）Activa TI(R)、入手元：味の素社、
６）アクリルアミドプロピルトリモニウムクロリド／アクリルアミドコポリマー、入手元：BASF社。
【０２７９】
例１６
リンスオフ・シャンプー組成物における嗅覚的性能
【表１３】
2021528223.tif 000019
毛髪サンプルの処理および感覚的評価のプロトコル（リンスオフ）
要求される用量（カプセル封入された香料オイル０．５％に相当）で、室温で撹拌下にカプセルをリンスオフベースに配合する。清潔で乾燥した毛髪サンプル１０ｇを３７℃の温かい水道水で３０秒間濡らす。毛髪サンプルあたり、リンスオフ製品１ｇを適用し、手袋をはめた手で優しくこすって毛髪サンプルに均一に分散させる。毛髪サンプルをすすぐために、毛髪サンプルを清潔で温かい水中で１回の動作あたり３回浸漬し、かつ撹拌し、次いで毛髪サンプルの山の頂点に向けて、温かい流水（流量＝４Ｌ／分）下で３０秒間すすぐ（サンプルの片側あたり１５秒）、連続ビーカー洗浄を使用して毛髪サンプルを２回すすぐ。毛髪サンプルを、絞って乾燥させることは行わなかった。サンプルの適用、分配およびすすぎを２回繰り返してから、毛髪サンプルを乾燥棚において空気乾燥させる。次の強度スケール１〜７を使用して、専門化パネリストにより、毛髪サンプルを２４時間後に評価する：１）知覚不可能、２）わずかに知覚可能、３）弱い、４）中程度、５）持続されている、６）強烈、７）非常に強烈。
【０２８０】
評価スケール：
１＝匂いなし、２＝知覚可能、３＝弱い、４＝中程度、５＝強い、６＝非常に強い、７＝極めて強い。
【０２８１】
結果
マイクロカプセルで処理した乾燥後のタオルの香料の知覚強度を、訓練したパネリスト１６名のパネルにより評価した。パネリスト達は、１〜７のスケールで香料の知覚強度を評価することを依頼されており、１は、匂いがしないことを意味し、７は、匂いが非常に強いことを意味する。
【０２８２】
図１４からわかるように、本発明のマイクロカプセルは、摩擦後に、顕著なバースト効果を示している。低い摩擦前強度および高い嗅覚的信号は、安定性、オイル保持、および性能の良好な指標である。
【０２８３】
例１７
毛髪上への付着試験
付着を定量化するために、以下の手順を使用した。ミニサイズの毛髪サンプル５００ｍｇを、その山に向けて１４０ｍＬのシリンジを使用して水道水（３７〜３９℃）４０ｍLで濡らした。過剰の水を優しく１回絞り出し、ＵＶトレーサー（Uvinul A Plus）を含有するマイクロカプセルを含む界面活性剤混合物サンプル０．１ｍＬを、１００μＬのポジティブディスプレイスメント式ピペットを使用して適用した。界面活性剤混合物を、水平に１０回、および垂直に１０回分散させた。次いで水道水（３７〜３９℃）１００ｍＬをサンプルの山に向けてそれぞれの側に５０ｍＬ適用することでサンプルをすすいだ。過剰の水を優しく搾り出し、次いで毛髪サンプルを切断して、予め秤量しておいた２０ｍＬのシンチレーションバイアルに入れた。この方法をあと２回繰り返し、次いで切断された毛髪を含有しているバイアルを、真空炉中、５０〜６０℃（１００トル）で少なくとも５時間乾燥させた。乾燥プロセスの後で、バイアルを再度秤量して、バイアル中の毛髪の質量を決定した。カプセルを含有する界面活性剤混合物サンプル０．１ｍＬを、空のバイアルに添加することによってコントロールも準備した。次いで２００プルーフのエタノール４ｍＬをそれぞれのバイアルに添加し、これらを６０分間、超音波処理に供した。超音波処理の後、０．４５μｍのＰＴＦＥフィルターでサンプルを濾過し、ＵＶ検出器を使用してＨＰＬＣで分析した。界面活性剤混合物サンプルからのマイクロカプセルの付着割合を決定するために、毛髪サンプルから抽出したUvinulの量を、コントロールサンプルから抽出したUvinulの量と比較した。
【０２８４】
【表１４】
2021528223.tif 000020
１）アクリルアミドプロピルトリモニウムクロリド／アクリルアミドコポリマー、入手元：BASF社。
【０２８５】
結果
毛髪サンプル上での付着は、この簡潔化された界面活性剤混合物サンプルから測定されたが、これは、パーソナル洗浄用配合物、たとえばシャンプーまたはシャワージェルの代表例を意味するものである。結果は、図１５に示されている。
【０２８６】
図１５に示されているデータは、本発明によるカプセル（カプセルＥ、ＧおよびＨ）は界面活性剤混合物サンプルから毛髪サンプル上へのフレグランスオイルの定量化可能な量を付着させ、かつ本発明によるこれらのカプセルの鉱物質層の追加（それぞれ、カプセルＮ、ＫおよびＬ）は、毛髪サンプルへのオイルの付着を最大で５倍まで増大させることを示している。
【０２８７】
例１８
口腔ケア適用のための過酸化水素中での鉱物コーティングの安定性
安定性プロトコルは以下のとおりである：マイクロカプセルスラリー１００ｍｇを、ｐＨ６．５に調整した過酸化水素溶液１０ｍｌ中に導入し、優しく撹拌し、次いでサンプルを２２℃で一ヶ月インキュベーションした。次いでマイクロカプセルを、走査型電子顕微鏡で観察して、鉱物シェルの物理的な劣化が観察されるかを確認した。図１６は、外側の鉱物コーティングは、多くの口腔ケア適用において見られるｐＨもしくは過酸化水素との接触により影響されないことを示している。
【０２８８】
例１９
リンスオフコンディショナー組成物
付香されたマイクロカプセルＨを上記のリンスオフ組成物に添加した。白人の褐色の毛髪サンプル１０ｇを長さ２０ｃｍで使用し、平坦な金属クリップで固定した。白人の毛髪で、平坦に束ねたものをこの評価のために選択した。というのは、白人の毛髪はどちらかというと直径が小さく、太くて粗いアジア人の毛髪と比較して粘性のコンディショナー組成物の適用の再現性がより保証されるからである。毛髪サンプルを温かい水道水（３７℃）で流し、過剰の水を手で絞り出した。リンスオフ製品１ｇをサンプルに適用し、３０秒にわたって、ニトリル手袋をはめた手で分散させた。次いでサンプルを２４時間、乾燥棚で空気乾燥させた。嗅覚的評価は、クシで梳かす前と、梳かした後に、８名のパネリストの群により実施した。強度は、１〜７のスケール（１＝匂いなし、７＝最大の匂い強度）で報告された。８名のパネリストの評価の平均を報告する。
【０２８９】
【表１５】
2021528223.tif 000021
１）Genamin KDMP, Clariant社、
２）Tylose H10 Y G4,信越化学工業株式会社、
３）Lanette O, BASF社、
４）Arlacel 165, Croda社、
５）Incroquat Behenyl TMS-50-PA- (MH), Croda社、
６）Brij S20, Croda社、
７）Xiameter MEM-949, Dow Corning社、
８）Alfa Aesar社。
【０２９０】
均一な混合物が得られるまで相Ａの成分を混合する。チロースを完全に溶解させる。次いで混合物を７０〜７５℃に加熱する。相Ｂの成分を合し、７０〜７５℃で溶融させる。次いで、相Ｂの成分を良好な撹拌下に相Ａに添加し、６０℃に冷却されるまで混合を継続する。次いで撹拌しながら相Ｃの成分を添加し、混合物が４０℃に冷却されるまで混合を継続する。クエン酸溶液でｐＨをｐＨ３．５〜４．０に調整する。
【０２９１】
【表１６】
2021528223.tif 000022
【０２９２】
第１４表から、本発明によるマイクロカプセルが摩擦効果を示すことに着目することができる。
【０２９３】
例２０
液体洗剤組成物
香料０．１５％に相当する量を添加するために十分な量のマイクロカプセルＨ（０．１９ｇ）を秤量し、液体洗剤（第１５表）３５ｇの用量と混合した。
【０２９４】
【表１７】
2021528223.tif 000023
１）Hostapur SAS 60;入手元:Clariant社、
２）Edenor K 12-18;入手元:Cognis社、
３）Genapol LA 070;入手元:Clariant社、
４）入手元:Genencor International社、
５）Aculyn 88;入手元:Dow Chemical社。
【０２９５】
プロトコル
ファブリック（綿のパイル地タオル２．０ｋｇ）を標準的なヨーロッパ式水平軸洗濯機（Ｍｉｅｌｅ社Novotronic W 900-79 CH）中、４０℃で、マイクロカプセルスラリー０．５３％を含有する液体洗剤３５ｇの用量で洗濯した。洗濯後、ファブリックを一夜、ライン乾燥させ、次いで訓練したパネリスト８名のパネルにより綿タオルの匂いの強度を評価した。パネリスト達は、手でファブリックを優しく摩擦する前と摩擦した後とで、タオルの匂いの強度を１〜７のスケールで評価するよう依頼された。１は、匂いなしに対応し、７は、極めて強い匂いに対応する。
【０２９６】
結果
【表１８】
2021528223.tif 000024
【０２９７】
例２１
高エタノールＥｄＴ組成物における嗅覚的性能
【表１９】
2021528223.tif 000025
【０２９８】
３インチ×５インチの吸取紙の表面に、製品（カプセル封入した香料オイルを１％含有する高エタノールＥｄＴベース）１６０μＬ（〜０．２ｇ）を均一に適用した。吸取紙を１時間、空気乾燥させ、次いで３２℃に予熱してあった精密ホットプレートで４時間乾燥させたので、評価の前に合計で５時間乾燥させたことになる。フレグランス強度を当初（摩擦前）と、次いで吸取紙を３回摩擦後（摩擦後）に再度、評価した。
【０２９９】
評価スケール：
１＝匂いなし、２＝かろうじて認識可能、３＝弱い、４＝中程度、５＝強い、６＝極めて強い、７＝著しく強い。
【０３００】
結果
マイクロカプセルＨおよびＬで処理し、乾燥した吸取紙における香料の知覚の強度は、訓練したパネリスト２０名のパネルによって評価された。パネリスト達は、１〜７の範囲のスケールで香料の知覚強度を評価することを依頼された。１は、匂いがないことを意味し、７は、非常に強力な匂いを意味する。
【０３０１】
図１７からわかるように、本発明のマイクロカプセルは、カプセル封入されていないコントロールオイルの強度デルタと比較して、摩擦後に著しいバーストを示す。
【０３０２】
例２２
低エタノールＥｄＴ組成物の嗅覚的性能
【表２０】
2021528223.tif 000026
【０３０３】
３インチ×５インチの吸取紙の表面に、製品（カプセル封入した香料オイルを１％含有する低エタノールＥｄＴベース）１６０μＬ（〜０．２ｇ）を均一に適用した。吸取紙を１時間、空気乾燥させ、次いで３２℃に予熱してあった精密ホットプレートで４時間乾燥させたので、評価の前に合計で５時間乾燥させたことになる。フレグランス強度を当初（摩擦前）と、次いで吸取紙を３回摩擦後（摩擦後）に再度、評価した。
【０３０４】
評価スケール：
１＝匂いなし、２＝かろうじて認識可能、３＝弱い、４＝中程度、５＝強い、６＝極めて強い、７＝著しく強い。
【０３０５】
結果
マイクロカプセルＨ、ＧおよびＬで処理し、乾燥した吸取紙における香料の知覚の強度は、訓練したパネリスト２０名のパネルによって評価された。パネリスト達は、１〜７の範囲のスケールで香料の知覚強度を評価することを依頼された。１は、匂いがないことを意味し、７は、非常に強力な匂いを意味する。
【０３０６】
図１８からわかるように、本発明のマイクロカプセルは、カプセル封入されていないコントロールオイルの強度デルタと比較して、摩擦後に著しいバーストを示す。
【０３０７】
例２３
噴霧乾燥したマイクロカプセル調製物
以下の成分を含有するエマルション１〜５を用意する。
【０３０８】
【表２１】
2021528223.tif 000027
１）CapsulTM, Ingredion社、
２）マルトデキストリン 10DE、入手元： Roquette社、
３）マルトース、Lehmann & Voss社、
４）シリカ、Evonik社、
５）第２０表を参照のこと。
【０３０９】
【表２２】
2021528223.tif 000028
１）スイス国ジュネーブ在、Firmenich SA社、
２）３−（４−ｔｅｒｔ−ブチルフェニル）−２−メチルプロパナール、スイス国ヴェルニエ在、Givaudan SA社、
３）１−（オクタヒドロ−２，３，８，８−テトラメチル−２−ナフタレニル）−１−エタノン、米国在、International Flavors & Fragrances社、
４）スイス国ジュネーブ在、Firmenich SA社、
５）メチルジヒドロジャスモネート、スイス国ジュネーブ在、Firmenich SA社、
６）スイス国ジュネーブ在、Firmenich SA社。
【０３１０】
ポリマーマトリックス用の成分（マルトデキストリンおよびcapsul（登録商標）、またはcapsul（登録商標）、クエン酸およびクエン酸三カリウム）を完全に溶解するまで４５〜５０℃の水に添加する。エマルション４については、カプセル封入されていない香料Ｃを水相に添加する。マイクロカプセルスラリーを添加して混合物が得られる。次いで、得られる混合物を２５℃（室温）で優しく混合する。
【０３１１】
Sodeva Spray Dryer（フランス製）を使用して、空気入口温度を２１５℃に設定し、１時間あたりの処理量を５００ｍｌに設定して、エマルションＡ〜Ｅを噴霧乾燥することにより、造粒された粉末Ａ〜Ｅを製造する。空気出口温度は１０５℃である。噴霧前のエマルションは、周囲の温度である。
【０３１２】
例２４
液体の香りブースター組成物
香料０．２％に相当する量を添加するために十分な量のマイクロカプセルスラリーＥ、Ｆ、Ｇ、Ｈ、Ｉ、ＪまたはＫを秤量し、液体香りブースター（第２１表）に混合する。
【０３１３】
【表２３】
2021528223.tif 000029
１）Deceth-8;KLK Oleo社の商標および同社より入手、
２）Laureth-9;商標および入手元、
３）Plantacare 2000UP;BASF社の商標および同社より入手。
【０３１４】
以下のプロトコルに従って、様々なリンギングジェル組成物を製造する（組成物１〜６）。
【０３１５】
第１のステップで、水相（水）、存在する場合には溶剤（プロピレングリコール）および界面活性剤を室温でマグネチックスターラーにより３００ｒｐｍで５分間撹拌下に一緒に混合する。
【０３１６】
第２のステップで、リンカーを疎水性活性成分（フレグランス）中に室温でマグネチックスターラーにより３００ｒｐｍで撹拌下に溶解させる。得られる混合物を５分間混合する。
【０３１７】
次いで、水相及び油相を室温で５分間混合することで、透明な、または半透明なリンギングジェルが形成される。
【０３１８】
例２５
粉末洗剤組成物
香料０．２％に相当する量を添加するために十分な量の顆粒１〜５を秤量し、粉末洗剤組成物（第２２表）に混合する。
【０３１９】
【表２４】
2021528223.tif 000030
【０３２０】
例２６
多目的クリーナー濃縮組成物
香料０．２％に相当する量を添加するために十分な量のマイクロカプセルスラリーＥ、Ｆ、Ｇ、Ｈ、Ｉ、ＪまたはＫを秤量し、多目的クリーナー濃縮組成物（第２３表）に混合する。
【０３２１】
【表２５】
2021528223.tif 000031
１）Neodol 91-8（Ｒ）;Shell Chemical社の商標および同社より入手、
２）Biosoft D-40（Ｒ）;Stepan Company社の商標および同社より入手、
３）Stepanate SCS（Ｒ）;Stepan Company社の商標および同社より入手、
４）Kathon CG（Ｒ）;Dow Chemical Company社の商標および同社より入手。
【０３２２】
全ての成分を一緒に混合し、次いでこの混合物を水で希釈して１００％とする。
【０３２３】
例２７
固体の匂いブースター組成物
以下の組成物を準備する。
【０３２４】
【表２６】
2021528223.tif 000032
【０３２５】
【表２７】
2021528223.tif 000033
【０３２６】
例２８
シャンプー組成物
香料０．２％に相当する量を添加するために十分な量のマイクロカプセルスラリーＥ、Ｆ、Ｇ、Ｈ、Ｉ、ＪまたはＫを秤量し、シャンプー組成物（第２６表）に混合する。
【０３２７】
【表２８】
2021528223.tif 000034
１）Ucare Polymer JR-400, Noveon社、
２）Schweizerhall社、
３）Glydant, Lonza社、
４）Texapon NSO IS, Cognis社、
５）Tego Betain F 50, Evonik社、
６）Amphotensid GB 2009, Zschimmer & Schwarz社、
７）Monomuls 90 L-12, Gruenau社、
８）Nipagin Monosodium, NIPA社。
【０３２８】
ポリクアテルニウム−１０を水中に分散させる。相Ａの残りの成分をその都度の添加の後に十分混合しながら順次添加することで、別途混合する。次いでこのプレミックスをポリクアテルニウム−１０分散液に添加し、５分間混合する。次いで、相Ｂおよびプレミックス相Ｃ（Texapon NSO IS中でMonomuls 90L-12を溶融させるために加熱）を添加する。混合物を十分に混合する。次いで相Ｄおよび相Ｅを撹拌下に添加する。ｐＨはクエン酸溶液を用いてｐＨが５．５〜６．０になるまで調整する。
【０３２９】
例２９
シャンプー組成物
香料０．２％に相当する量を添加するために十分な量のマイクロカプセルスラリーＥ、Ｆ、Ｇ、Ｈ、Ｉ、ＪまたはＫを秤量し、シャンプー組成物（第２７表）中に混合する。
【０３３０】
【表２９】
2021528223.tif 000035
１）EDETA B粉末、BASF社、
２）Jaguar C14 S, Rhodia社、
３）Ucare Polymer JR-400, Noveon社、
４）Sulfetal LA B-E, Zschimmer & Schwarz社、
５）Zetesol LA, Zschimmer & Schwarz社、
６）Tego Betain F 50, Evonik社、
７）Xiameter MEM-1691, Dow Corning社、
８）Lanette 16, BASF社、
９）Comperlan 100, Cognis社、
１０）Cutina AGS, Cognis社、
１１）Kathon CG, Rohm & Haas社、
１２）D-Panthenol, Roche社。
【０３３１】
グアーヒドロキシプロピルトリモニウムクロリドおよびポリクアテルニウム−１０を含有するプレミックスを撹拌下に水およびＥＤＴＡ四ナトリウムに添加する。混合物が均質になったら、ＮａＯＨを添加する。次いで、相Ｃの成分を添加し、混合物を７５℃に加熱した。相Ｄの成分を添加し、均質になるまで混合する。加熱を停止し、混合物の温度は室温まで低下する。４５℃で、相Ｅの成分を撹拌下に、２５％ＮａＣｌ溶液を用いて最終粘度に調整し、１０％ＮａＯＨ溶液でｐＨ５．５〜６に調整する。
【０３３２】
例３０
無水の制汗スプレー組成物
香料０．２％に相当する量を添加するために十分な量のマイクロカプセルスラリーＥ、Ｆ、Ｇ、Ｈ、Ｉ、ＪまたはＫを秤量し、無水の制汗スプレー組成物（第２８表）に混合する。
【０３３３】
【表３０】
2021528223.tif 000036
１）Dow Corning（Ｒ）345 Fluid; Dow Corning社の商標および同社より入手、
２）Aerosil（Ｒ） 200 ; Evonik社の商標および同社より入手、
３）Bentone（Ｒ） 38;Elementis Specialities社の商標および同社より入手、
４）Micro Dry Ultrafine; 入手元:Reheis社。
【０３３４】
高速撹拌機を使用して、シリカおよびポリクアテルニウム−１８−ヘクトライトをイソプロピルミリステートおよびシクロメチコン混合物に添加する。完全に膨潤したら、混合物が均質になり、塊がなくなるまで撹拌下に少量ずつ、アルミニウムクロロヒドレートを添加する。エーロゾル缶を２５％の懸濁液および７５％のプロパン／ブタンで充填する（２．５バール）。
【０３３５】
例３１
制汗スプレーエマルション組成物
香料０．２％に相当する量を添加するために十分な量のマイクロカプセルスラリーＥ、Ｆ、Ｇ、Ｈ、Ｉ、ＪまたはＫを秤量し、制汗スプレーエマルション組成物（第２９表）に混合する。
【０３３６】
【表３１】
2021528223.tif 000037
１）Tween 65;CRODA社の商標および同社より入手、
２）Dehymuls PGPH;BASF社の商標および同社より入手、
３）Abil EM-90;BASF社の商標および同社より入手、
４）Dow Corning 345 fluid;Dow Corning社の商標および同社より入手、
５）Crodamol ipis;CRODA社の商標および同社より入手、
６）Phenoxyethanol;LANXESS社の商標および同社より入手、
７）Sensiva sc 50;KRAFT社の商標および同社より入手、
８）Tegosoft TN;Evonik社の商標および同社より入手、
９）Aerosil R 812;Evonik社の商標および同社より入手、
１０）Nipagin mna;CLARIANT社の商標および同社より入手、
１１）Locron L;CLARIANT社の商標および同社より入手。
【０３３７】
パートＡおよびパートＢの成分を別々に秤量する。パートＡの成分を６０℃に加熱し、パートＢの成分を５５℃に加熱する。パートＢの成分を少量、連続的に撹拌しながらパートＡに添加する。混合物が室温になるまで十分に撹拌する。次いでパートＣの成分を添加する。エマルションを混合し、エーロゾル缶に導入する。噴射剤を圧縮して添加する。
【０３３８】
エーロゾル充填：エマルション３０％、プロパン／ブタン７０％、２．５バール。
【０３３９】
例３２
デオドラントスプレー組成物
香料０．２％に相当する量を添加するために十分な量のマイクロカプセルスラリーＥ、Ｆ、Ｇ、Ｈ、Ｉ、ＪまたはＫを秤量し、制汗剤としてのデオドラントスプレー組成物（第３０表）に混合する。
【０３４０】
【表３２】
2021528223.tif 000038
１）Irgasan（Ｒ） DP 300;BASF社の商標および同社より入手。
【０３４１】
第２４表の列に記載の全ての成分を混合し、かつ溶解する。次いでエーロゾル缶を充填し、圧着し、噴射剤を添加する（エーロゾル充填：活性溶液４０％、プロパン／ブタン６０％、２．５バール）。
【０３４２】
例３３
ロールオンタイプの制汗剤エマルション組成物
香料０．２％に相当する量を添加するために十分な量のマイクロカプセルスラリーＥ、Ｆ、Ｇ、Ｈ、Ｉ、ＪまたはＫを秤量し、ロールオンタイプの制汗剤エマルション組成物（第３１表）に混合する。
【０３４３】
【表３３】
2021528223.tif 000039
１）BRIJ 72; 入手元: ICI社、
２）BRIJ 721;入手元: ICI社、
３）ARLAMOL E;入手元: UNIQEMA-CRODA社、
４）LOCRON L;入手元: CLARIAN社。
【０３４４】
パートＡおよびパートＢを別々に７５℃に加熱刷る。パートＡを撹拌下にパートＢに添加し、混合物を１０分間均質化する。次いで、混合物を撹拌下に冷却させ、混合物が４５℃に達したらパートＣをゆっくり添加し、混合物が３５℃に達したら撹拌しながらパートＤを添加する。次いで、混合物をＲＴに冷却する。
【０３４５】
例３４
ロールオンタイプの制汗剤組成物
香料０．２％に相当する量を添加するために十分な量のマイクロカプセルスラリーＥ、Ｆ、Ｇ、Ｈ、Ｉ、ＪまたはＫを秤量し、ロールオンタイプの制汗剤組成物（第３２表）に混合する。
【０３４６】
【表３４】
2021528223.tif 000040
１）LOCRON L; 入手元: CLARIANT社、
２）EUMULGIN B-1; 入手元: BASF社、
３）EUMULGIN B-3; 入手元: BASF社。
【０３４７】
パートＢの成分を容器中で混合し、次いでパートＡの成分を添加する。次いで、パートＣをパートＡおよびパートＢ中で溶解する。香料と共に、十分に混合しながら、香料１部につき、Cremophor RH40  １部を添加する。
【０３４８】
例３５
ロールオンタイプの制汗剤組成物
香料０．２％に相当する量を添加するために十分な量のマイクロカプセルスラリーＥ、Ｆ、Ｇ、Ｈ、Ｉ、ＪまたはＫを秤量し、ロールオンタイプの制汗剤エマルション組成物（第３３表）に混合する。
【０３４９】
【表３５】
2021528223.tif 000041
１）Natrosol（Ｒ） 250 H;Ashland社の商標および同社より入手、
２）Irgasan（Ｒ） DP 300;BASF社の商標および同社より入手、
３）Cremophor（Ｒ） RH 40;BASF社の商標および同社より入手。
【０３５０】
タービンで迅速に撹拌しながら、ヒドロキシエチルセルロースを少量ずつ水中に散布することによりパートＡを製造する。ヒドロキシエチルセルロースが完全に膨潤して凝集したゲルが生じるまで撹拌を継続する。次いで撹拌を継続しながら、全体が均質になるまで、パートＢを少量ずつパートＡに添加する。パートＣを添加する。
【０３５１】
例３６
アルコール不含のデオドラントポンプの配合物
香料０．２％に相当する量を添加するために十分な量のマイクロカプセルスラリーＥ、Ｆ、Ｇ、Ｈ、Ｉ、ＪまたはＫを秤量し、以下の組成物（第３４表）に混合する。
【０３５２】
【表３６】
2021528223.tif 000042
１）Ceraphyl 41; ASHLAND社の商標および同社より入手、
２）DOW CORNING 200 FLUID 0.65cs; DOW CORNING CORPORATION社の商標および同社より入手、
３）Ceraphyl 28; ASHLAND社の商標および同社より入手、
４）Eutanol G; BASF社の商標および同社より入手、
５）Irgasan（Ｒ） DP 300; BASF社の商標および同社より入手。
【０３５３】
第３４表の全ての成分を表の列に記載のとおりに混合し、混合物をわずかに加熱して、セチルラクテートを溶解させる。
【０３５４】
例３７
アルコール不含のデオドラントポンプの配合物
香料０．２％に相当する量を添加するために十分な量のマイクロカプセルスラリーＥ、Ｆ、Ｇ、Ｈ、Ｉ、ＪまたはＫを秤量し、以下の組成物（第３５表）に混合する。
【０３５５】
【表３７】
2021528223.tif 000043
１）Softigen 767; CRODA社の商標および同社より入手、
２）Cremophor（Ｒ） RH 40; BASF社の商標および同社より入手。
【０３５６】
パートＢの成分を一緒に混合する。パートＡの成分を表の列に記載のとおりに溶解させ、パートＢに添加する。
【０３５７】
例３８
アルコール不含のデオドラントスティック配合物
香料０．２％に相当する量を添加するために十分な量のマイクロカプセルスラリーＥ、Ｆ、Ｇ、Ｈ、Ｉ、ＪまたはＫを秤量し、以下の組成物（第３６表）に混合する。
【０３５８】
【表３８】
2021528223.tif 000044
１）Edeta（Ｒ） B Power; BASF社の商標および同社より入手、
２）Cremophor（Ｒ） A25; BASF社の商標および同社より入手、
３）Tegosoft（Ｒ） APM; Evonik社の商標および同社より入手、
４）Irgasan（Ｒ） DP 300; BASF社の商標および同社より入手。
【０３５９】
パートＡの全ての成分を秤量し、７０〜７５℃に加熱する。他方のパートＡの成分を混合し、加熱したらCeteareth-25を添加する。Ceteareth-25が溶解したら、ステアリン酸を添加する。１，２−プロピレングリコール中にトリクロサンを溶解してパートＢを準備する。蒸発させた水を添加する。混合下でパートＢをゆっくりパートＡに添加する。貯蔵のために、冷却後に密閉できるようにバケツの中にプラスチック袋を入れる。約７０℃で成形品を充填する。
【０３６０】
例３９
制汗スティック
香料０．２％に相当する量を添加するために十分な量のマイクロカプセルスラリーＥ、Ｆ、Ｇ、Ｈ、Ｉ、ＪまたはＫを秤量し、以下の組成物（第３７表）に混合する。
【０３６１】
【表３９】
2021528223.tif 000045
１）Dow Corning（Ｒ） 345 Fluid; Dow Corning社の商標および同社より入手、
２）Lanette（Ｒ） 18; BASF社の商標および同社より入手、
３）Tegosoft（Ｒ） PBE; Evonik社の商標および同社より入手、
４）Cutina（Ｒ） HR; BASF社の商標および同社より入手、
５）Summit AZP-908; Reheis社の商標および同社より入手。
【０３６２】
パートＡの全ての成分を秤量し、７０〜７５℃に加熱し、十分に混合する。パートＢの成分をパートＡ中に分散させる。混合物を混合し、６５℃でケースに入れる。
【０３６３】
例４０
デイクリーム
香料０．２％に相当する量を添加するために十分な量のマイクロカプセルスラリーＥ、Ｆ、Ｇ、Ｈ、Ｉ、ＪまたはＫを秤量し、以下の組成物（第３８表）に混合する。
【０３６４】
【表４０】
2021528223.tif 000046
【０３６５】
例４１
タルク配合物
香料０．２％に相当する量を添加するために十分な量の顆粒１〜５を秤量し、標準的なタルクベース、つまりタルク１００％で、特徴的な匂いがごく僅かであり、白色の粉末（入手元：LUZENAC）に混合する。
【０３６６】
例４２
シャワージェル組成物
香料０．２％に相当する量を添加するために十分な量のマイクロカプセルスラリーＥ、Ｆ、Ｇ、Ｈ、Ｉ、ＪまたはＫを秤量し、以下の組成物（第３９表）に混合する。
【０３６７】
【表４１】
2021528223.tif 000047
１０）EDETA B POWDER; BASF社の商標および同社より入手、
１１）CARBOPOL AQUA SF-1 POLYMER; NOVEON社の商標および同社より入手、
１２）ZETESOL AO 328 U; trademark and origin: ZSCHIMMER & SCHWARZ社の商標および同社より入手、
１３）TEGO-BETAIN F 50; GOLDSCHMIDT社の商標および同社より入手、
１４）KATHON CG; ROHM & HASS社の商標および同社より入手。
【０３６８】
成分を混合し、ｐＨを６〜６．３に調整する（粘度：４５００ｃＰｏ±１５００ｃＰｏ）ブルックフィールドＲＶ／スピンドル＃４／２０ｒｐｍ）。
【０３６９】
例４３
シャワージェル組成物
香料０．２％に相当する量を添加するために十分な量のマイクロカプセルスラリーＥ、Ｆ、Ｇ、Ｈ、Ｉ、ＪまたはＫを秤量し、以下の組成物（第４０表）に混合する。
【０３７０】
【表４２】
2021528223.tif 000048
１）EDETA B POWDER; BASF社の商標および同社より入手、
２）ZETESOL AO 328 U; ZSCHIMMER & SCHWARZ社の商標および同社より入手、
３）TEGO-BETAIN F 50; GOLDSCHMIDT社の商標および同社より入手、
４）MERQUAT 550; LUBRIZOL社の商標および同社より入手。
【０３７１】
成分を混合し、ｐＨを４．５に調整する（粘度：３０００ｃＰｏ±１５００ｃＰｏ）ブルックフィールドＲＶ／スピンドル＃４／２０ｒｐｍ）。
【０３７２】
例４４
シャワージェル組成物
香料０．２％に相当する量を添加するために十分な量のマイクロカプセルスラリーＥ、Ｆ、Ｇ、Ｈ、Ｉ、ＪまたはＫを秤量し、以下の組成物（第４１表）に混合する。
【０３７３】
【表４３】
2021528223.tif 000049
１）EDETA B POWDER; BASF社の商標および同社より入手、
２）Texapon NSO IS; COGNIS社の商標および同社より入手、
３）MERQUAT 550; LUBRIZOL社の商標および同社より入手、
４）DEHYTON AB-30; COGNIS社の商標および同社より入手、
５）GLUCAMATE LT; LUBRIZOL社の商標および同社より入手、
６）EUPERLAN PK 3000 AM; COGNIS社の商標および同社より入手、
７）CREMOPHOR RH 40; BASF社の商標および同社より入手。
【０３７４】
成分を混合し、ｐＨを４．５に調整する（粘度：４０００ｃＰｏ±１５００ｃＰｏ）ブルックフィールドＲＶ／スピンドル＃４／２０ｒｐｍ）。
【０３７５】
例４５
手洗い用の食器用洗剤
香料０．２％に相当する量を添加するために十分な量のマイクロカプセルスラリーＥ、Ｆ、Ｇ、Ｈ、Ｉ、ＪまたはＫを秤量し、以下の組成物（第４２表）に混合する。
【０３７６】
【表４４】
2021528223.tif 000050
１）Biosoft S-118（Ｒ）; Stepan Company社の商標および同社より入手、
２）Ninol 40-CO（Ｒ）; Stepan Company社の商標および同社より入手、
３）Stepanate SXS（Ｒ）; Stepan Company社の商標および同社より入手、
４）Tergitol 15-S-9（Ｒ）; Dow Chemical Company社の商標および同社より入手。
【０３７７】
水と、水酸化ナトリウムおよびジエタノールアミドとを混合する。ＬＡＳを添加する。ＬＡＳが中和された後に、残りの成分を添加する。ｐＨを確認し（＝７〜８）、必要であれば調整する。
【０３７８】
例４６
歯磨き用ペースト配合物
フレーバー０．２％に相当する量を添加するために十分な量のマイクロカプセルスラリーＲ（マイクロカプセルＨまたはＮに相当、ただし香料の代わりにフレーバーがカプセル封入されている）を秤量し、以下の組成物（第４３表）に混合する。
【０３７９】
【表４５】
2021528223.tif 000051
１）Tixosil 73; 商標および入手元:
２）Tixosil 43; 商標および入手元。
【０３８０】
例４７
リン酸二カルシウムベースの歯磨き用ペースト配合物
フレーバー０．２％に相当する量を添加するために十分な量のマイクロカプセルスラリーＲ（マイクロカプセルＨまたはＮに相当、ただし香料の代わりにフレーバーがカプセル封入されている）を秤量し、以下の組成物（第４４表）に混合する。
【０３８１】
【表４６】
2021528223.tif 000052
１）Aerosil（Ｒ）200; 商標および入手元。
【０３８２】
例４８
アルコール不含のマウスウォッシュ配合物
フレーバー０．２％に相当する量を添加するために十分な量のマイクロカプセルスラリーＲ（マイクロカプセルＨまたはＮに相当、ただし香料の代わりにフレーバーがカプセル封入されている）を秤量し、以下の組成物（第４５表）に混合する。
【０３８３】
【表４７】
2021528223.tif 000053
【０３８４】
例４９
マウスウォッシュ配合物
フレーバー０．２％に相当する量を添加するために十分な量のマイクロカプセルスラリーＲ（マイクロカプセルＨまたはＮに相当、ただし香料の代わりにフレーバーがカプセル封入されている）を秤量し、以下の組成物（第４６表）に混合する。
【０３８５】
【表４８】
2021528223.tif 000054
【図１】
2021528223.tif 000055
【図２】
2021528223.tif 000056
【図３】
2021528223.tif 000057
【図４】
2021528223.tif 000058
【図５】
2021528223.tif 000059
【図６】
2021528223.tif 000060
【図７】
2021528223.tif 000061
【図８】
2021528223.tif 000062
【図９】
2021528223.tif 000063
【図１０】
2021528223.tif 000064
【図１１】
2021528223.tif 000065
【図１２】
2021528223.tif 000066
【図１３】
2021528223.tif 000067
【図１４】
2021528223.tif 000068
【図１５】
2021528223.tif 000069
【図１６】
2021528223.tif 000070
【図１７】
2021528223.tif 000071
【図１８】
2021528223.tif 000072
【国際調査報告】
2021528223.tif 000073
2021528223.tif 000074